(57)【特許請求の範囲】
【請求項１】
粘着剤層を有する粘着シートであって、
前記粘着剤層はアクリル系ポリマーをベースポリマーとして含有するアクリル系粘着剤層であり、
前記アクリル系ポリマーは、構成単位として、（ｉ）水酸基含有モノマー及び／又は窒素原子含有モノマーと、（ii）イソステアリル（メタ）アクリレート及び／又はメタクリル酸メチルと、を含み、
イオンクロマトグラフ法で測定される、前記粘着剤層より純水で１００℃、４５分の条件で抽出されたアクリル酸イオンの量が、前記粘着剤層１ｇあたり５μｇ／ｇ以下であることを特徴とする銀ナノワイヤー層用光学用粘着シート。
【請求項２】
前記アクリル系ポリマーは、構成単位として、炭素数１〜２０の直鎖又は分岐鎖状のアルキル基を有する（メタ）アクリル酸アルキルエステルを二種以上含む、請求項１に記載の光学用粘着シート。
【請求項３】
前記（メタ）アクリル酸アルキルエステルは２−エチルヘキシルアクリレートを含む、請求項２に記載の光学用粘着シート。
【請求項４】
前記アクリル系ポリマーを構成する全モノマー成分中のカルボキシル基含有モノマーの割合が０．０５重量％以下である、請求項１〜３のいずれか１項に記載の光学用粘着シート。
【請求項５】
前記アクリル系ポリマーを構成する全モノマー成分中の炭素数４〜１８の直鎖又は分岐鎖状のアルキル基を有する（メタ）アクリル酸アルキルエステルの割合が５０〜９０重量％である、請求項１〜４のいずれか１項に記載の光学用粘着シート。
【請求項６】
前記粘着剤層中のアクリル系ポリマーの含有量が、粘着剤層の総重量に対して９０重量％以上である、請求項１〜５のいずれか１項に記載の光学用粘着シート。
【請求項７】
前記アクリル系ポリマーは、構成単位として、Ｎ−ビニル環状アミドを含む、請求項１〜５のいずれか１項に記載の光学用粘着シート。
【請求項８】
前記粘着剤層が紫外線吸収剤を含む請求項１〜７のいずれか１項に記載の光学用粘着シート。
【請求項９】
前記紫外線吸収剤の、下記で求められる吸光度Ａが０．５以下である請求項８に記載の光学用粘着シート。
吸光度Ａ：前記紫外線吸収剤の０．０８％トルエン溶液に対して、波長４００ｎｍの光を当て、測定される吸光度
【請求項１０】
前記紫外線吸収剤が、ベンゾトリアゾール系紫外線吸収剤、ベンゾフェノン系紫外線吸収剤、及びヒドロキシフェニルトリアジン系紫外線吸収剤からなる群より選ばれる少なくとも１種の紫外線吸収剤である、請求項８又は９に記載の光学用粘着シート。
【請求項１１】
前記粘着剤層が、前記紫外線吸収剤を、前記粘着剤層中のベースポリマー１００重量部に対して０．０１〜１０重量部含む、請求項８〜１０のいずれか１項に記載の光学用粘着シート。
【請求項１２】
銀ナノワイヤー層に直接貼付又は銀ナノワイヤー層を保護する層に貼付するために使用される、請求項１〜１１のいずれか１項に記載の光学用粘着シート。
【請求項１３】
フィルムセンサーに用いられる請求項１〜１２のいずれか１項に記載の光学用粘着シート。
【発明の詳細な説明】
【技術分野】
【０００１】
本発明は、光学用粘着シートに関する。より具体的には、銀ナノワイヤー層用光学用粘着シートに関する。
【背景技術】
【０００２】
近年、様々な分野で、液晶ディスプレイ（ＬＣＤ）などの表示装置や、このような表示装置と組み合わせて用いられるタッチパネルなどの入力装置が広く用いられるようになってきている。これらの表示装置や入力装置等においては、光学部材を貼り合わせる用途に、粘着剤層を有する粘着シートが使用されている。例えば、タッチパネルと各種表示部材や光学部材の貼り合わせには、透明な粘着シートが使用されている（例えば、特許文献１〜３参照）。
【０００３】
上記表示装置や入力装置等に用いられる光学部材には、紫外線による劣化が懸念されるものがある。このため、上記粘着シートには、紫外線吸収性（紫外線カット性、ＵＶカット性）が求められる場合がある。このような粘着シートとして、粘着剤層に紫外線吸収剤を含む透明粘着シート（特許文献４参照）が提案されている。
【０００４】
中でも、静電容量方式のタッチパネルの製造等の用途においては、ＩＴＯ（酸化インジウムスズ）フィルムなどの金属薄膜や金属酸化物薄膜（以下、金属薄膜と金属酸化物薄膜を「金属薄膜」と総称する場合がある）に直接粘着シートを貼り付けて用いる場合がある。かかる用途においては、粘着シートには、さらに、上記金属薄膜を腐食させない、いわゆる耐腐食性が要求される。
【０００５】
しかしながら、上記のような金属薄膜に貼り付けて用いる粘着シートとして、カルボキシル基含有モノマーをモノマー成分として構成されるアクリル系ポリマー等からなる粘着シートを用いた場合には、加湿条件下で保存すると、金属薄膜の抵抗値が変化する、即ち、金属薄膜が腐食するという問題が生じていた。
【０００６】
一方、アクリル系ポリマーを構成する全モノマー成分に対するアクリル酸及びメタクリル酸の合計含有量が１０重量％以下であるアクリル系ポリマーを含む粘着剤組成物より形成された粘着剤層を少なくとも１層有する粘着シートであって、該粘着シートより抽出されたアクリル酸イオン及びメタクリル酸イオンの含有量が、前記粘着剤層の単位面積あたり２０ｎｇ／ｃｍ2以下である粘着シートが知られている（特許文献５参照）。この粘着シートによれば、アクリル酸やメタクリル酸をモノマー成分とするアクリル系ポリマーからなる粘着シートでありながら、ＩＴＯフィルムなどの金属薄膜に対する耐腐食性に優れる。
【先行技術文献】
【特許文献】
【０００７】
【特許文献１】特開２００３−２３８９１５号公報
【特許文献２】特開２００３−３４２５４２号公報
【特許文献３】特開２００４−２３１７２３号公報
【特許文献４】特開２０１３−７５９７８号公報
【特許文献５】特開２０１０−１９５９４２号公報
【発明の概要】
【発明が解決しようとする課題】
【０００８】
近年、静電容量方式のタッチパネルの製造等の用途においては、金属薄膜として、ＩＴＯフィルムに代わって銀ナノワイヤー層（ＡｇＮＷ層）を有するフィルムが用いられるものが増えてきている。上記のような、粘着シートより抽出されたアクリル酸イオン及びメタクリル酸イオンの含有量が粘着剤層の単位面積あたり２０ｎｇ／ｃｍ2以下である粘着シートは、ＩＴＯフィルムに対する耐腐食性には優れるが、銀ナノワイヤー層に対する耐腐食性は十分ではなかった。即ち、銀ナノワイヤー層を有する光学部材に貼付する用途の粘着シートにおいては、ＩＴＯフィルムに対する耐腐食性よりも高い耐腐食性が要求される。これは、銀ナノワイヤー層は、粘着剤層中のアクリル酸イオンによって銀がイオン化しやすいためであると推測される。また、銀ナノワイヤー層は、特に、紫外線が照射されることにより腐食が促進されやすい。このため、銀ナノワイヤー層に対する耐腐食性（特に、紫外線が当たる環境下における耐腐食性（「耐ＵＶ性」と称する場合がある））に優れる粘着シートが求められているのが現状である。
【０００９】
従って、本発明の目的は、銀ナノワイヤー層に対する耐腐食性（特に、耐ＵＶ性）に優れる光学用粘着シートを提供することにある。
【課題を解決するための手段】
【００１０】
本発明者らは上記目的を達成するために鋭意検討した結果、粘着剤層を有する、銀ナノワイヤー層用光学用の粘着シートであって、粘着剤層より抽出されるアクリル酸イオンを極めて少量とすることにより、銀ナノワイヤー層に対する耐腐食性に優れる粘着シートを得ることができることを見出し、本発明を完成した。
【００１１】
すなわち、本発明は、粘着剤層を有する粘着シートであって、イオンクロマトグラフ法で測定される、前記粘着剤層より純水で１００℃、４５分の条件で抽出されたアクリル酸イオンの量が、前記粘着剤層１ｇあたり５μｇ／ｇ以下であることを特徴とする銀ナノワイヤー層用光学用粘着シートを提供する。
【００１２】
前記粘着剤層はアクリル系粘着剤層であることが好ましい。
【００１３】
前記粘着剤層は紫外線吸収剤を含むことが好ましい。
【００１４】
前記紫外線吸収剤の、下記で求められる吸光度Ａが０．５以下であることが好ましい。  吸光度Ａ：前記紫外線吸収剤の０．０８％トルエン溶液に対して、波長４００ｎｍの光を当て、測定される吸光度
【００１５】
前記紫外線吸収剤は、ベンゾトリアゾール系紫外線吸収剤、ベンゾフェノン系紫外線吸収剤、及びヒドロキシフェニルトリアジン系紫外線吸収剤からなる群より選ばれる少なくとも１種の紫外線吸収剤であることが好ましい。
【００１６】
前記粘着剤層は、前記紫外線吸収剤を、前記粘着剤層中のベースポリマー１００重量部に対して０．０１〜１０重量部含むことが好ましい。
【００１７】
前記光学用粘着シートは、フィルムセンサーに用いられる光学用粘着シートであることが好ましい。
【発明の効果】
【００１８】
本発明の光学用粘着シートは、銀ナノワイヤー層に対する耐腐食性に優れる。また、紫外線が当たる環境下における耐腐食性に特に優れる。このため、銀ナノワイヤー層を有する光学部材、特に、銀ナノワイヤーフィルム等の銀ナノワイヤー層が形成された透明導電性フィルム上に貼付する用途等に好ましく用いることができる。
【図面の簡単な説明】
【００１９】
【図１】本発明の光学用粘着シートが用いられた光学製品の一例を示す概略断面図である。
【図２】本発明の光学用粘着シートが用いられた光学製品の他の一例を示す概略断面図である。
【図３】実施例及び比較例で作製した両面粘着シートの耐ＵＶ性の評価に用いた試験片を示す概略図（上面平面図）である。
【図４】実施例及び比較例で作製した両面粘着シートの耐ＵＶ性の評価に用いた試験片を示す概略図（図３のＡ−Ａ’線断面図）である。
【発明を実施するための形態】
【００２０】
本発明の銀ナノワイヤー層用光学用粘着シートは、イオンクロマトグラフ法で測定される、純水で１００℃、４５分の条件で抽出されたアクリル酸イオンの量が、粘着剤層１ｇあたり５μｇ／ｇ以下である粘着剤層を少なくとも有する。なお、本明細書において、上記粘着剤層を、「本発明の粘着剤層」と称する場合がある。また、本明細書において、「本発明の銀ナノワイヤー層用光学用粘着シート」を、単に「本発明の光学用粘着シート」と称する場合がある。また、「粘着シート」には、「粘着テープ」の意味を含むものとする。すなわち、本発明の光学用粘着シートは、テープ状の形態を有する粘着テープであってもよい。
【００２１】
本発明の光学用粘着シートは、銀ナノワイヤー層側（例えば、光学製品内において銀ナノワイヤー層が存在する側の光学部材）に貼付する粘着面が本発明の粘着剤層による粘着面（粘着剤層表面）である限り、その形態は特に限定されない。例えば、片面のみが粘着面である片面粘着シートであってもよいし、両面が粘着面である両面粘着シートであってもよい。また、本発明の光学用粘着シートが両面粘着シートである場合、本発明の光学用粘着シートは、両方の粘着面が本発明の粘着剤層により提供される形態を有していてもよいし、一方の粘着面が本発明の粘着剤層により提供され、他方の粘着面が本発明の粘着剤層以外の粘着剤層（その他の粘着剤層）により提供される形態を有していてもよい。なお、被着体同士を貼り合わせる観点からは、両面粘着シートが好ましい。
【００２２】
本発明の光学用粘着シートは、基材（基材層）を有しない、いわゆる「基材レスタイプ」の粘着シートであってもよいし、基材を有するタイプの粘着シートであってもよい。なお、本明細書において、「基材レスタイプ」の粘着シートを「基材レス粘着シート」と称する場合があり、基材を有するタイプの粘着シートを「基材付き粘着シート」と称する場合がある。上記基材レス粘着シートとしては、例えば、本発明の粘着剤層のみからなる両面粘着シートや、本発明の粘着剤層とその他の粘着剤層（本発明の粘着剤層以外の粘着剤層）からなる両面粘着シート等が挙げられる。また、上記基材付き粘着シートとしては、例えば、基材の片面側に本発明の粘着剤層を有する片面粘着シートや、基材の両面側に本発明の粘着剤層を有する両面粘着シートや、基材の一方の面側に本発明の粘着剤層を有し、他方の面側にその他の粘着剤層を有する両面粘着シートなどが挙げられる。なお、上記の「基材（基材層）」とは、支持体のことであり、本発明の光学用粘着シートを被着体に使用（貼付）する際には、粘着剤層とともに被着体に貼付される部分である。粘着シートの使用（貼付）時に剥離されるセパレーター（剥離ライナー）は、上記基材に含まれない。
【００２３】
（本発明の粘着剤層）
本発明の粘着剤層において、イオンクロマトグラフ法で測定される、粘着剤層より純水で１００℃、４５分の条件で抽出されたアクリル酸イオン量（「抽出アクリル酸イオン量」と称する場合がある）は、粘着剤層１ｇあたり、５μｇ／ｇ以下（例えば、０〜５μｇ／ｇ）であり、好ましくは４．５μｇ／ｇ以下（例えば、０〜４．５μｇ／ｇ）、より好ましくは４μｇ／ｇ以下（例えば、０〜４μｇ／ｇ）、さらに好ましくは３．２μｇ／ｇ以下（例えば、０〜３．２μｇ／ｇ）、特に好ましくは３μｇ／ｇ以下（例えば、０〜３μｇ／ｇ）、最も好ましくは２．５μｇ／ｇ以下（例えば、０〜２．５μｇ／ｇ）である。上記の抽出アクリル酸イオン量は、粘着シートを加湿環境下などにおいた場合の、粘着剤層からのアクリル酸イオンの水分での遊離しやすさの度合いを表す。上記抽出アクリル酸イオン量が５μｇ／ｇを超えると、本発明の粘着剤層を銀ナノワイヤー層が存在する側の光学部材に貼付するように粘着シートを貼付し、加湿条件下などの水分の存在下で保存する際に、粘着剤層から遊離したアクリル酸イオンの影響で、銀ナノワイヤー層が腐食し抵抗値が上昇し、導電性が低下しやすくなる。
【００２４】
上記の「抽出アクリル酸イオン量」は以下の方法で測定することができる。
まず、粘着剤層を適切な大きさに切り出し、粘着剤層の一方の粘着面上にＰＥＴフィルム（厚さ２５〜５０μｍ）を貼付して、片方の粘着面のみを露出させたものを試験片とする。なお、本発明の光学用粘着シートが、基材付きの片面粘着シートである場合は、必要に応じて剥離ライナーを剥離した状態のものを試験片としてもよい。また、本発明の光学用粘着シートが１つの粘着剤層からなる基材レスタイプの両面粘着シートである場合、粘着剤層の一方の面に剥離ライナーが設けられた状態のものを試験片として用いてもよい。試験片の粘着面の露出面積は１００ｃｍ2が好ましい。
次いで、上記試験片を、温度１００℃の純水中に入れ、４５分間煮沸し、アクリル酸イオンの煮沸抽出を行う。
次いで、イオンクロマトグラフ法（イオンクロマトグラフィー）により、上記で得られた抽出液中のアクリル酸イオンの量（単位：μｇ）を測定し、試験片における粘着剤層１ｇあたりのアクリル酸イオンの量（単位：μｇ／ｇ）を算出する。イオンクロマトグラフ法（イオンクロマトグラフィー）の測定条件は、特に限定されないが、例えば、下記の条件で測定することができる。
［イオンクロマトグラフ法の測定条件］
分析装置      ：  Ｔｈｅｒｍｏ  Ｆｉｓｈｅｒ  Ｓｃｉｅｎｔｉｆｉｃ社製、ＩＣＳ−３０００
分離カラム    ：  Ｉｏｎ  Ｐａｃ  ＡＳ１８（４ｍｍ×２５０ｍｍ）
ガードカラム  ：  Ｉｏｎ  Ｐａｃ  ＡＧ１８（４ｍｍ×５０ｍｍ）
除去システム  ：  ＡＥＲＳ−５００（エクスターナルモード）
検出器        ：  電気伝導度検出器
溶離液        ：  ＫＯＨ水溶液
（溶離液ジェネレーターＥＧIIIを使用）
溶離液流量    ：  １．０ｍｌ／分
試料注入量    ：  ２５０μｌ
【００２５】
本発明の粘着剤層を構成する粘着剤としては、特に限定されないが、例えば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤などが挙げられる。中でも、粘着剤層を構成する粘着剤としては、透明性、粘着性、耐候性、コスト、粘着剤の設計のしやすさの点より、アクリル系粘着剤が好ましい。つまり、本発明の粘着剤層は、アクリル系粘着剤から構成されたアクリル系粘着剤層であることが好ましい。上記粘着剤は、単独で又は２種以上組み合わせて用いることができる。
【００２６】
上記アクリル系粘着剤層は、ベースポリマーとしてアクリル系ポリマーを含有する。上記アクリル系ポリマーは、ポリマーを構成するモノマー成分として、アクリル系モノマー（分子中に（メタ）アクリロイル基を有するモノマー）を含むポリマーである。上記アクリル系ポリマーは、ポリマーを構成するモノマー成分として（メタ）アクリル酸アルキルエステルを含むポリマーであることが好ましい。なお、アクリル系ポリマーは、単独で又は２種以上組み合わせて用いることができる。
【００２７】
本発明の粘着剤層を形成する粘着剤組成物は、いずれの形態であってもよい。例えば、粘着剤組成物は、エマルジョン型、溶剤型（溶液型）、活性エネルギー線硬化型、熱溶融型（ホットメルト型）などであってもよい。中でも、生産性の点、光学特性や外観性に優れる粘着剤層が得やすい点より、溶剤型、活性エネルギー線硬化型の粘着剤組成物が好ましい。特に、粘着剤層中のアクリル酸イオンの量をより少なくすることができる観点から、溶剤型の粘着剤組成物が好ましい。
【００２８】
つまり、本発明の粘着剤層は、アクリル系ポリマーをベースポリマーとして含有するアクリル系粘着剤層であり、溶剤型のアクリル系粘着剤組成物により形成されることが好ましい。
【００２９】
上記活性エネルギー線としては、例えば、α線、β線、γ線、中性子線、電子線などの電離性放射線や、紫外線などが挙げられ、特に、紫外線が好ましい。即ち、上記活性エネルギー線硬化型の粘着剤組成物は、紫外線硬化型の粘着剤組成物が好ましい。
【００３０】
上記アクリル系粘着剤層を形成する粘着剤組成物（アクリル系粘着剤組成物）としては、例えば、アクリル系ポリマーを必須成分とするアクリル系粘着剤組成物、又は、アクリル系ポリマーを構成する単量体（モノマー）の混合物（「モノマー混合物」と称する場合がある）若しくはその部分重合物を必須成分とするアクリル系粘着剤組成物などが挙げられる。前者としては、例えば、いわゆる溶剤型のアクリル系粘着剤組成物などが挙げられる。また。後者としては、例えば、いわゆる活性エネルギー線硬化型のアクリル系粘着剤組成物などが挙げられる。上記「モノマー混合物」とは、ポリマーを構成するモノマー成分を含む混合物を意味する。また、上記「部分重合物」とは、「プレポリマー」と称する場合もあり、上記モノマー混合物中のモノマー成分のうちの１又は２以上のモノマー成分が部分的に重合している組成物を意味する。
【００３１】
上記アクリル系ポリマーは、アクリル系モノマーを必須のモノマー成分（単量体成分）として構成（形成）された重合体である。上記アクリル系ポリマーは、（メタ）アクリル酸アルキルエステルを必須のモノマー成分として構成（形成）された重合体であることが好ましい。すなわち、上記アクリル系ポリマーは、構成単位として、（メタ）アクリル酸アルキルエステルを含むことが好ましい。本明細書において、「（メタ）アクリル」とは、「アクリル」及び／又は「メタクリル」（「アクリル」及び「メタクリル」のうち、いずれか一方又は両方）を表し、他も同様である。なお、上記アクリル系ポリマーは、１種又は２種以上のモノマー成分により構成される。
【００３２】
必須のモノマー成分としての上記（メタ）アクリル酸アルキルエステルとしては、直鎖又は分岐鎖状のアルキル基を有する（メタ）アクリル酸アルキルエステルが好ましく挙げられる。なお、（メタ）アクリル酸アルキルエステルは、単独で又は２種以上組み合わせて用いることができる。
【００３３】
直鎖又は分岐鎖状のアルキル基を有する（メタ）アクリル酸アルキルエステルとしては、特に限定されないが、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル（ステアリル（メタ）アクリレート）、イソステアリル（メタ）アクリレート、（メタ）アクリル酸ノナデシル、（メタ）アクリル酸エイコシルなどの炭素数が１〜２０の直鎖又は分岐鎖状のアルキル基を有する（メタ）アクリル酸アルキルエステルが挙げられる。中でも、上記直鎖又は分岐鎖状のアルキル基を有する（メタ）アクリル酸アルキルエステルは、炭素数が４〜１８の直鎖又は分岐鎖状のアルキル基を有する（メタ）アクリル酸アルキルエステルが好ましく、より好ましくはアクリル酸２−エチルヘキシル（２ＥＨＡ）、イソステアリルアクリレート（ＩＳＴＡ）である。また、上記直鎖又は分岐鎖状のアルキル基を有する（メタ）アクリル酸アルキルエステルは、単独で又は２種以上を組み合わせて用いることができる。
【００３４】
上記アクリル系ポリマーを構成する全モノマー成分（１００重量％）中の、上記（メタ）アクリル酸アルキルエステルの割合は、特に限定されないが、５０重量％以上（例えば、５０〜１００重量％）であることが好ましく、より好ましくは５３〜９０重量％、さらに好ましくは５５〜８５重量％である。
【００３５】
上記アクリル系ポリマーは、ポリマーを構成するモノマー成分として、上記（メタ）アクリル酸アルキルエステルとともに、共重合性モノマーを含んでいてもよい。すなわち、上記アクリル系ポリマーは、構成単位として、共重合性モノマーを含んでいてもよい。なお、共重合性モノマーは、単独で又は２種以上を組み合わせて用いることができる。
【００３６】
上記共重合性モノマーとしては、特に限定されないが、高湿環境下での白濁化の抑制と耐久性向上、銀ナノワイヤー層や後述の保護層に対する接着信頼性、紫外線吸収剤等の各種添加剤との相溶性、透明性の点より、分子内に窒素原子を有するモノマー、分子内に水酸基を有するモノマーが好ましく挙げられる。すなわち、上記アクリル系ポリマーは、構成単位として、分子内に窒素原子を有するモノマーを含むことが好ましい。また、上記アクリル系ポリマーは、構成単位として、分子内に水酸基を有するモノマーを含むことが好ましい。
【００３７】
上記分子内に窒素原子を有するモノマーは、分子内（１分子内）に窒素原子を少なくとも１つ有するモノマー（単量体）である。本明細書において、上記「分子内に窒素原子を有するモノマー」を「窒素原子含有モノマー」と称する場合がある。上記窒素原子含有モノマーとしては、特に限定されないが、環状窒素含有モノマー、（メタ）アクリルアミド類などが好ましく挙げられる。なお、窒素原子含有モノマーは、単独で又は２種以上組み合わせて用いることができる。
【００３８】
上記環状窒素含有モノマーは、（メタ）アクリロイル基又はビニル基等の不飽和二重結合を有する重合性の官能基を有し、かつ環状窒素構造を有するものであれば特に限定されない。上記環状窒素構造は、環状構造内に窒素原子を有するものが好ましい。
【００３９】
上記環状窒素含有モノマーとしては、例えば、Ｎ−ビニル環状アミド（ラクタム系ビニルモノマー）、窒素含有複素環を有するビニル系モノマーなどが挙げられる。
【００４０】
上記Ｎ−ビニル環状アミドとしては、例えば、下記式（１）で表されるＮ−ビニル環状アミドが挙げられる。
【化１】
0006635727.tif 000002
（式（１）中、Ｒ1は２価の有機基を示す）
【００４１】
上記式（１）におけるＲ1は２価の有機基であり、好ましくは２価の飽和炭化水素基又は不飽和炭化水素基であり、より好ましくは２価の飽和炭化水素基（例えば、炭素数３〜５のアルキレン基など）である。
【００４２】
上記式（１）で表されるＮ−ビニル環状アミドとしては、例えば、Ｎ−ビニル−２−ピロリドン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオンなどが挙げられる。
【００４３】
上記窒素含有複素環を有するビニル系モノマーとしては、例えば、モルホリン環、ピペリジン環、ピロリジン環、ピペラジン環等の窒素含有複素環を有するアクリル系モノマーなどが挙げられる。
【００４４】
上記窒素含有複素環を有するビニル系モノマーとしては、特に限定されないが、例えば、（メタ）アクリロイルモルホリン、Ｎ−ビニルピペラジン、Ｎ−ビニルピロール、Ｎ−ビニルイミダゾール、Ｎ−ビニルピラジン、Ｎ−ビニルモルホリン、Ｎ−ビニルピラゾール、ビニルピリジン、ビニルピリミジン、ビニルオキサゾール、ビニルイソオキサゾール、ビニルチアゾール、ビニルイソチアゾール、ビニルピリダジン、（メタ）アクリロイルピロリドン、（メタ）アクリロイルピロリジン、（メタ）アクリロイルピペリジンなどが挙げられる。
【００４５】
上記窒素含有複素環を有するビニル系モノマーとしては、中でも、窒素含有複素環を有するアクリル系モノマーが好ましく、より好ましくは（メタ）アクリロイルモルホリン、（メタ）アクリロイルピロリジン、（メタ）アクリロイルピペリジンである。
【００４６】
上記（メタ）アクリルアミド類としては、例えば、（メタ）アクリルアミド、Ｎ−アルキル（メタ）アクリルアミド、Ｎ，Ｎ−ジアルキル（メタ）アクリルアミドなどが挙げられる。上記Ｎ−アルキル（メタ）アクリルアミドとしては、例えば、Ｎ−エチル（メタ）アクリルアミド、Ｎ−イソプロピル（メタ）アクリルアミド、Ｎ−ｎ−ブチル（メタ）アクリルアミド、Ｎ−オクチル（メタ）アクリルアミドなどが挙げられる。さらに、上記Ｎ−アルキル（メタ）アクリルアミドには、ジメチルアミノエチル（メタ）アクリルアミド、ジエチルアミノエチル（メタ）アクリルアミド、ジメチルアミノプロピル（メタ）アクリルアミドのようなアミノ基を有する（メタ）アクリルアミドも含まれる。上記Ｎ，Ｎ−ジアルキル（メタ）アクリルアミドとしては、例えば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミドなどが挙げられる。
【００４７】
また、上記（メタ）アクリルアミド類には、例えば、各種のＮ−ヒドロキシアルキル（メタ）アクリルアミドも含まれる。上記Ｎ−ヒドロキシアルキル（メタ）アクリルアミドとしては、例えば、Ｎ−メチロール（メタ）アクリルアミド、Ｎ−（２−ヒドロキシエチル）（メタ）アクリルアミド、Ｎ−（２−ヒドロキシプロピル）（メタ）アクリルアミド、Ｎ−（１−ヒドロキシプロピル）（メタ）アクリルアミド、Ｎ−（３−ヒドロキシプロピル）（メタ）アクリルアミド、Ｎ−（２−ヒドロキシブチル）（メタ）アクリルアミド、Ｎ−（３−ヒドロキシブチル）（メタ）アクリルアミド、Ｎ−（４−ヒドロキシブチル）（メタ）アクリルアミド、Ｎ−メチル−Ｎ−２−ヒドロキシエチル（メタ）アクリルアミドなどが挙げられる。
【００４８】
また、上記（メタ）アクリルアミド類には、例えば、各種のＮ−アルコキシアルキル（メタ）アクリルアミドも含まれる。上記Ｎ−アルコキシアルキル（メタ）アクリルアミドとしては、例えば、Ｎ−メトキシメチル（メタ）アクリルアミド、Ｎ−ブトキシメチル（メタ）アクリルアミドなどが挙げられる。
【００４９】
また、上記環状窒素含有モノマー、上記（メタ）アクリルアミド類以外の窒素原子含有モノマーとしては、例えば、アミノ基含有モノマー、シアノ基含有モノマー、イミド基含有モノマー、イソシアネート基含有モノマーなどが挙げられる。上記アミノ基含有モノマーとしては、例えば、（メタ）アクリル酸アミノエチル、（メタ）アクリル酸ジメチルアミノエチル、（メタ）アクリル酸ジメチルアミノプロピル、（メタ）アクリル酸ｔ−ブチルアミノエチルなどが挙げられる。上記シアノ基含有モノマーとしては、例えば、アクリロニトリル、メタクリロニトリルなどが挙げられる。上記イミド基含有モノマーとしては、マレイミド系モノマー（例えば、Ｎ−シクロヘキシルマレイミド、Ｎ−イソプロピルマレイミド、Ｎ−ラウリルマレイミド、Ｎ−フェニルマレイミド等）、イタコンイミド系モノマー（例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−ラウリルイタコンイミド、Ｎ−シクロヘキシルイタコンイミド等）、スクシンイミド系モノマー（例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等）など挙げられる。上記イソシアネート基含有モノマーとしては、例えば、２−（メタ）アクリロイルオキシエチルイソシアネートなどが挙げられる。
【００５０】
中でも、上記窒素原子含有モノマーとしては、環状窒素含有モノマーが好ましく、Ｎ−ビニル環状アミドがより好ましい。より具体的には、Ｎ−ビニル−２−ピロリドン（ＮＶＰ）が特に好ましい。
【００５１】
上記アクリル系ポリマーが、ポリマーを構成するモノマー成分として上記窒素原子含有モノマーを含有する場合、上記アクリル系ポリマーを構成する全モノマー成分（１００重量％）中の、上記窒素原子含有モノマーの割合は、特に限定されないが、１重量％以上が好ましく、より好ましくは３重量％以上であり、さらに好ましくは５重量％以上である。上記割合が１重量％以上であると、分子内に水酸基を有するモノマーの割合を少なくすることができるため、分子内に水酸基を有するモノマーに由来するアクリル酸イオンの量をより少なくすることができる傾向にあり、好ましい。さらに、高湿環境下での白濁化の抑制と耐久性がより向上し、銀ナノワイヤー層や後述の保護層に対するより高い接着信頼性を得ることができ、好ましい。また、上記窒素原子含有モノマーの割合の上限は、適度な柔軟性を有する粘着剤層を得る点、透明性に優れる粘着剤層を得る点より、３０重量％以下が好ましく、より好ましくは２５重量％以下であり、さらに好ましくは２０重量％以下である。
【００５２】
上記分子内に水酸基を有するモノマーは、分子内（１分子内）に水酸基（ヒドロキシル基）を少なくとも１つ有するモノマーであり、（メタ）アクリロイル基又はビニル基等の不飽和二重結合を有する重合性の官能基を有し、かつヒドロキシル基を有するものが好ましく挙げられる。ただし、上記分子内に水酸基を有するモノマーには、上記窒素原子含有モノマーは含まれないものとする。すなわち、本明細書において、分子内に窒素原子と水酸基をともに有するモノマーは、上記「窒素原子含有モノマー」に含まれるものとする。本明細書においては、上記「分子内に水酸基を有するモノマー」を「水酸基含有モノマー」と称する場合がある。なお、水酸基含有モノマーは、単独で又は２種以上を組み合わせて用いることができる。
【００５３】
上記水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、（メタ）アクリル酸６−ヒドロキシヘキシル、（メタ）アクリル酸ヒドロキシオクチル、（メタ）アクリル酸ヒドロキシデシル、（メタ）アクリル酸ヒドロキシラウリル、（メタ）アクリル酸（４−ヒドロキシメチルシクロヘキシル）などの水酸基含有（メタ）アクリル酸エステル；ビニルアルコール；アリルアルコールなどが挙げられる。
【００５４】
中でも、上記水酸基含有モノマーとしては、水酸基含有（メタ）アクリル酸エステルが好ましく、より好ましくはアクリル酸２−ヒドロキシエチル（ＨＥＡ）、アクリル酸４−ヒドロキシブチル（４ＨＢＡ）である。
【００５５】
上記アクリル系ポリマーが、ポリマーを構成するモノマー成分として上記水酸基含有モノマーを含有する場合、上記アクリル系ポリマーを構成する全モノマー成分（１００重量％）中の、上記水酸基含有モノマーの割合は、特に限定されないが、高湿環境下での白濁化の抑制と耐久性向上、銀ナノワイヤー層や後述の保護層に対するより高い接着信頼性を得る点より、０．５重量％以上であることが好ましく、より好ましくは０．８重量％以上であり、さらに好ましくは１重量％以上である。また、上記水酸基含有モノマーの割合の上限は、３０重量％以下であることが好ましく、より好ましくは２５重量％以下であり、さらに好ましくは１５重量％以下である。上記割合が３０重量％以下（特に２５重量％以下）であると、水酸基含有モノマーに由来するアクリル酸イオンの量をより少なくすることができる傾向にあり、好ましい。なお、水酸基含有モノマーに由来するアクリル酸イオンは、ポリマーを構成するモノマー成分として水酸基含有モノマーを用いる場合において必然的に混入するものと推測される。これは、水酸基含有モノマーが製造される過程でアクリル酸イオンが混入し、市販品には不純物として一定の割合でアクリル酸イオンが存在しているためであると推測される。また、本発明の粘着剤層が活性エネルギー線硬化型の粘着剤組成物により形成される場合、上記アクリル系ポリマーを構成する全モノマー成分（１００重量％）中の、上記水酸基含有モノマーの割合の上限は、粘着剤層中のアクリル酸イオン量をより少なくする観点から、１０重量％以下であることが好ましく、より好ましくは５重量％以下である。
【００５６】
上記アクリル系ポリマーを構成する全モノマー成分（１００重量％）中の、上記窒素原子含有モノマー及び上記水酸基含有モノマーの割合の合計は、特に限定されないが、高湿環境下での白濁化の抑制と耐久性向上、銀ナノワイヤー層や後述の保護層に対するより高い接着信頼性を得る点より、５重量％以上であることが好ましく、より好ましくは１０重量％以上であり、さらに好ましくは１５重量％以上である。また、上記割合の合計の上限は、適度な柔軟性を有する粘着剤層を得る点、透明性に優れる粘着剤層を得る点より、５０重量％以下であることが好ましく、より好ましくは４０重量％以下であり、さらに好ましくは３５重量％以下である。
【００５７】
窒素原子含有モノマー及び水酸基含有モノマー以外の共重合性モノマーとしては、さらに、脂環構造含有モノマーが挙げられる。上記脂環構造含有モノマーは、（メタ）アクリロイル基またはビニル基等の不飽和二重結合を有する重合性の官能基を有し、かつ脂環構造を有するものであれば特に限定されない。例えば、シクロアルキル基を有するアルキル（メタ）アクリレートは、上記脂環構造含有モノマーに含まれる。なお、脂環構造含有モノマーは、単独で又は２種以上組み合わせて用いることができる。
【００５８】
上記脂環構造含有モノマーにおける脂環構造は、環状の炭化水素構造であり、炭素数５以上であることが好ましく、炭素数６〜２４がより好ましく、炭素数６〜１５がさらに好ましく、炭素数６〜１０が特に好ましい。
【００５９】
上記脂環構造含有モノマーとしては、例えば、シクロプロピル（メタ）アクリレート、シクロブチル（メタ）アクリレート、シクロペンチル（メタ）アクリレート、シクロヘキシル（メタ）アクリレート、シクロヘプチル（メタ）アクリレート、シクロオクチル（メタ）アクリレート、イソボルニル（メタ）アクリレート、ジシクロペンタニル（メタ）アクリレート、下記式（２）で表されるＨＰＭＰＡ、下記式（３）で表されるＴＭＡ−２、下記式（４）で表されるＨＣＰＡなどの（メタ）アクリル系モノマーが挙げられる。なお、下記式（４）において、線でつないだシクロヘキシル環と括弧内の構造式との結合場所は特に限定されない。これらの中でも、イソボルニル（メタ）アクリレートが好ましい。
【化２】
0006635727.tif 000003
【化３】
0006635727.tif 000004
【化４】
0006635727.tif 000005
【００６０】
上記アクリル系ポリマーが、ポリマーを構成するモノマー成分として上記脂環構造含有モノマーを含有する場合、上記アクリル系ポリマーを構成する全モノマー成分（１００重量％）中の、上記脂環構造含有モノマーの割合は、特に限定されないが、耐久性向上、銀ナノワイヤー層や後述の保護層に対するより高い接着信頼性を得る点より、１０重量％以上であることが好ましい。また、上記脂環構造含有モノマーの割合の上限は、適度な柔軟性を有する粘着剤層を得る点より、５０重量％以下が好ましく、より好ましくは４０重量％以下、さらに好ましくは３０重量％以下である。
【００６１】
さらに、共重合性モノマーとしては、例えば、多官能性モノマーが挙げられる。上記多官能性モノマーとしては、例えば、ヘキサンジオールジ（メタ）アクリレート、ブタンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレートなどが挙げられる。なお、多官能性モノマーは、単独で又は２種以上を組み合わせて用いることができる。
【００６２】
上記アクリル系ポリマーが、ポリマーを構成するモノマー成分として上記多官能性モノマーを含有する場合、上記アクリル系ポリマーを構成する全モノマー成分（１００重量％）中の、上記多官能性モノマーの割合は、特に限定されないが、０．５重量％以下（例えば、０重量％を超えて０．５重量％以下）が好ましく、より好ましくは０．２重量％以下（例えば、０重量％を超えて０．２重量％以下）である。
【００６３】
また、上記共重合性モノマーとしては、（メタ）アクリル酸アルコキシアルキルエステルが挙げられる。上記（メタ）アクリル酸アルコキシアルキルエステルとしては、特に限定されないが、例えば、（メタ）アクリル酸２−メトキシエチル、（メタ）アクリル酸２−エトキシエチル、（メタ）アクリル酸メトキシトリエチレングリコール、（メタ）アクリル酸３−メトキシプロピル、（メタ）アクリル酸３−エトキシプロピル、（メタ）アクリル酸４−メトキシブチル、（メタ）アクリル酸４−エトキシブチルなどが挙げられる。中でも、上記（メタ）アクリル酸アルコキシアルキルエステルは、アクリル酸アルコキシアルキルエステルが好ましく、より好ましくはアクリル酸２−メトキシエチル（ＭＥＡ）である。なお、上記（メタ）アクリル酸アルコキシアルキルエステルは、単独で又は２種以上を組み合わせて用いることができる。
【００６４】
上記アクリル系ポリマーが、ポリマーを構成するモノマー成分として、上記（メタ）アクリル酸アルコキシアルキルエステルを含む場合、上記（メタ）アクリル酸アルキルエステルと上記（メタ）アクリル酸アルコキシアルキルエステルとの割合は、特に限定されないが、［前者：後者］（重量比）で、１００：０を超えて２５：７５以下が好ましく、より好ましくは１００：０を超えて５０：５０以下である。
【００６５】
他にも、上記共重合性モノマーとしては、例えば、カルボキシル基含有モノマー、エポキシ基含有モノマー、スルホン酸基含有モノマー、リン酸基含有モノマー、芳香族炭化水素基を有する（メタ）アクリル酸エステル、ビニルエステル類、芳香族ビニル化合物、オレフィン類又はジエン類、ビニルエーテル類、塩化ビニルなどが挙げられる。上記カルボキシル基含有モノマーとしては、例えば、（メタ）アクリル酸、イタコン酸、マレイン酸、フマル酸、クロトン酸、イソクロトン酸などが挙げられる、また、上記カルボキシル基含有モノマーには、例えば、無水マレイン酸、無水イタコン酸等の酸無水物基含有モノマーも含まれるものとする。上記エポキシ基含有モノマーとしては、例えば、（メタ）アクリル酸グリシジル、（メタ）アクリル酸メチルグリシジルなどが挙げられる。上記スルホン酸基含有モノマーとしては、例えば、ビニルスルホン酸ナトリウムなどが挙げられる。上記芳香族炭化水素基を有する（メタ）アクリル酸エステルとしては、例えば、（メタ）アクリル酸フェニル、（メタ）アクリル酸フェノキシエチル、（メタ）アクリル酸ベンジルなどが挙げられる。上記ビニルエステル類としては、例えば、酢酸ビニル、プロピオン酸ビニルなどが挙げられる。上記芳香族ビニル化合物としては、例えば、スチレン、ビニルトルエンなどが挙げられる。上記オレフィン類又はジエン類としては、例えば、エチレン、プロピレン、ブタジエン、イソプレン、イソブチレンなどが挙げられる。上記ビニルエーテル類としては、例えば、ビニルアルキルエーテルなどが挙げられる。
【００６６】
上記アクリル系ポリマーは、銀ナノワイヤー層に対して優れた耐腐食性を有するアクリル系粘着剤層を得る点より、ポリマーを構成するモノマー成分として酸性基含有モノマーを含まない又は実質的に含まないことが好ましく、特にカルボキシル基含有モノマーを含まない又は実質的に含まないことが好ましい。酸性基含有モノマーとしては、例えば、カルボキシル基含有モノマー、スルホン酸基含有モノマー、リン酸基含有モノマーなどが挙げられる。具体的には、上記アクリル系ポリマーを構成する全モノマー成分（１００重量％）中の、酸性基含有モノマーの割合が、０．０５重量％以下（好ましくは０．０１重量％以下）であるものは、実質的に含有しないということができる。
【００６７】
特に限定されないが、上記アクリル系ポリマーは、ポリマーを構成するモノマー成分として、ホモポリマーを形成した際のガラス転移温度（Ｔｇ）が高いモノマー（以下、「高Ｔｇモノマー」と称する場合がある）が含まれることが好ましい。上記モノマー成分として高Ｔｇモノマーを用いると、当該アクリル系ポリマーを含有する粘着剤が硬くなり、本発明の光学用粘着シートの高温での銀ナノワイヤー層や後述の保護層に対する接着信頼性がより向上し、好ましい。
【００６８】
上記高Ｔｇモノマーのホモポリマーを形成した際のガラス転移温度は、特に限定されないが、例えば、２０℃以上であり、好ましくは３０℃以上、より好ましくは９０℃以上である。上記高ＴｇモノマーのＴｇが上記範囲であることにより、粘着剤層の凝集力が上がる。
【００６９】
上記高Ｔｇモノマーは、アクリル系ポリマーを構成するモノマー成分に含まれるモノマーとして例示した上述のモノマーであってもよいし、それ以外のモノマーであってもよい。特に、アクリル系ポリマーを構成するモノマー成分は、上述のアクリル系ポリマーを構成するモノマー成分として例示したモノマーであって、且つ、高Ｔｇモノマーであるモノマー成分を含むことが好ましい。上記高Ｔｇモノマーは、１種のみであってもよいし、２種以上であってもよい。
【００７０】
上記高Ｔｇモノマーとしては、特に限定されないが、例えば、メタクリル酸メチル（Ｔｇ：１０５℃）、メタクリル酸エチル（Ｔｇ：６５℃）、メタクリル酸シクロヘキシル（Ｔｇ：８３℃）、アクリル酸イソボルニル（Ｔｇ：９４℃）、メタクリル酸イソボルニル（Ｔｇ：１５０℃）、メタクリル酸ベンジル（Ｔｇ：５４℃）、メタクリル酸グリシジル（Ｔｇ：４６℃）、メタクリル酸ステアリル（Ｔｇ：３８℃）、メタクリル酸３−ヒドロキシプロピル（Ｔｇ：２６℃）、メタクリル酸２−ヒドロキシエチル（Ｔｇ：５５℃）、アクリル酸（Ｔｇ：１０６℃）、メタクリル酸（Ｔｇ：２２７℃）などが挙げられる。また、上記以外にも、例えば、酢酸ビニル（Ｔｇ：３２℃）、アクリロニトリル（Ｔｇ：９７℃）、メタクリロニトリル（Ｔｇ：１２０℃）、スチレン（Ｔｇ：８０℃）、２−メチルスチレン（Ｔｇ：１３６℃）、アクリルアミド（Ｔｇ：１６５℃）、Ｎ−ビニル−２−ピロリドン（ＮＶＰ）（Ｔｇ：８０℃）などが挙げられる。中でも、メタクリル酸メチル、アクリル酸イソボルニル、ＮＶＰが好ましい。
【００７１】
上記アクリル系ポリマーが、ポリマーを構成するモノマー成分として上記高Ｔｇモノマーを含有する場合、上記アクリル系ポリマーを構成する全モノマー成分（１００重量％）中の、上記高Ｔｇモノマーの割合は、特に限定されないが、１〜５０重量％が好ましく、より好ましくは５〜４０重量％、さらに好ましくは１０〜３０重量％である。高Ｔｇモノマーの割合が上記範囲内であると、本発明の光学用粘着シートの高温での銀ナノワイヤー層や後述の保護層に対する接着信頼性がより向上し、好ましい。なお、ポリマーを構成するモノマー成分中に２種以上の高Ｔｇモノマーが含まれる場合は、上記「高Ｔｇモノマーの割合」は、上記２種以上の高Ｔｇモノマーの割合の合計である。
【００７２】
上記アクリル系ポリマーとしては、上記の中でも、炭素数が４〜１８の直鎖又は分岐鎖状のアルキル基を有する（メタ）アクリル酸アルキルエステルを５０〜９０重量％（好ましくは５５〜８５重量％）、窒素原子含有モノマー及び水酸基含有モノマーからなる群より選ばれた１種以上のモノマーを１０〜５０重量％（好ましくは１５〜４０重量％）、炭素数が６〜１０の脂環構造含有モノマーを０〜４０重量％（好ましくは０〜３０重量％）含むモノマー混合物から構成されたアクリル系ポリマーであることが好ましく、炭素数が４〜１８の直鎖又は分岐鎖状のアルキル基を有する（メタ）アクリル酸アルキルエステルを５０〜９０重量％（好ましくは５５〜８５重量％）、窒素原子含有モノマーを３〜３０重量％（好ましくは５〜２５重量％）、水酸基含有モノマーを０．８〜２５重量％（好ましくは１〜１５重量％）、炭素数が６〜１０の脂環構造含有モノマーを０〜４０重量％（好ましくは０〜３０重量％）含み、窒素原子含有モノマー及び水酸基含有モノマーの割合の合計が１０〜５０重量％（好ましくは１５〜４０重量％）であるモノマー混合物から構成されたアクリル系ポリマーであることがより好ましい。なお、上記割合（重量％）は、アクリル系ポリマーを構成する全モノマー成分（１００重量％）に対する割合である。
【００７３】
本発明の粘着剤層中のベースポリマー（特にアクリル系ポリマー）の含有量は、特に限定されないが、本発明の粘着剤層の総重量１００重量％に対して、５０重量％以上（例えば、５０〜１００重量％）が好ましく、より好ましくは８０重量％以上（例えば、８０〜１００重量％）、さらに好ましくは９０重量％以上（例えば、９０〜１００重量％）である。
【００７４】
本発明の粘着剤層が含有する、上記アクリル系ポリマーなどのベースポリマーは、モノマー成分を重合することにより得られる。この重合方法としては、特に限定されないが、例えば、溶液重合方法、乳化重合方法、塊状重合方法、活性エネルギー線照射による重合方法（活性エネルギー線重合方法）などが挙げられる。中でも、粘着剤層の透明性、コストなどの点より、溶液重合方法、活性エネルギー線重合方法が好ましく、粘着剤層中のアクリル酸イオン量をより少なくする観点から、溶液重合方法がより好ましい。
【００７５】
また、上記のモノマー成分の重合に際しては、各種の一般的な溶剤が用いられてもよい。上記溶剤としては、例えば、酢酸エチル、酢酸ｎ−ブチル等のエステル類；トルエン、ベンゼン等の芳香族炭化水素類；ｎ−ヘキサン、ｎ−ヘプタン等の脂肪族炭化水素類；シクロヘキサン、メチルシクロヘキサン等の脂環式炭化水素類；メチルエチルケトン、メチルイソブチルケトン等のケトン類などの有機溶剤が挙げられる。なお、溶剤は、単独で又は２種以上組み合わせて用いることができる。
【００７６】
上記のモノマー成分の重合に際しては、重合反応の種類に応じて、熱重合開始剤や光重合開始剤（光開始剤）などの重合開始剤が用いられてもよい。なお、重合開始剤は、単独で又は２種以上を組み合わせて用いることができる。
【００７７】
上記熱重合開始剤としては、特に限定されないが、例えば、アゾ系重合開始剤、過酸化物系重合開始剤（例えば、ジベンゾイルペルオキシド、ｔｅｒｔ−ブチルペルマレエート等）、レドックス系重合開始剤等が挙げられる。中でも、特開２００２−６９４１１号公報に開示されたアゾ系重合開始剤が好ましい。上記アゾ系重合開始剤としては、２，２’−アゾビスイソブチロニトリル（以下、「ＡＩＢＮ」と称する場合がある）、２，２’−アゾビス−２−メチルブチロニトリル（以下、「ＡＭＢＮ」と称する場合がある）、２，２’−アゾビス（２−メチルプロピオン酸）ジメチル、４，４’−アゾビス−４−シアノバレリアン酸などが挙げられる。なお、熱重合開始剤は、単独で又は２種以上を組み合わせて用いることができる。
【００７８】
上記アクリル系ポリマーの重合の際に上記アゾ系重合開始剤を用いる場合、上記アゾ系重合開始剤の使用量は、特に限定されないが、例えば、上記アクリル系ポリマーを構成する全モノマー成分１００重量部に対して、０．０５重量部以上であることが好ましく、より好ましくは０．１重量部以上であり、また、０．５重量部以下であることが好ましく、より好ましくは０．３重量部以下である。
【００７９】
上記光重合開始剤としては、特に限定されないが、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤等が挙げられる。他にも、アシルフォスフィンオキサイド系光重合開始剤、チタノセン系光重合開始剤が挙げられる。上記ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテル等が挙げられる。上記アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−（ｔ−ブチル）ジクロロアセトフェノン等が挙げられる。上記α−ケトール系光重合開始剤としては、例えば、２−メチル−２−ヒドロキシプロピオフェノン、１−［４−（２−ヒドロキシエチル）フェニル］−２−メチルプロパン−１−オン等が挙げられる。上記芳香族スルホニルクロリド系光重合開始剤としては、例えば、２−ナフタレンスルホニルクロライド等が挙げられる。上記光活性オキシム系光重合開始剤としては、例えば、１−フェニル−１，１−プロパンジオン−２−（Ｏ−エトキシカルボニル）−オキシム等が挙げられる。上記ベンゾイン系光重合開始剤としては、例えば、ベンゾイン等が挙げられる。上記ベンジル系光重合開始剤としては、例えば、ベンジル等が挙げられる。上記ベンゾフェノン系光重合開始剤としては、例えば、ベンゾフェノン、ベンゾイル安息香酸、３，３’−ジメチル−４−メトキシベンゾフェノン、ポリビニルベンゾフェノン、α−ヒドロキシシクロヘキシルフェニルケトン等が挙げられる。上記ケタール系光重合開始剤としては、例えば、ベンジルジメチルケタール等が挙げられる。上記チオキサントン系光重合開始剤としては、例えば、チオキサントン、２−クロロチオキサントン、２−メチルチオキサントン、２，４−ジメチルチオキサントン、イソプロピルチオキサントン、２，４−ジイソプロピルチオキサントン、ドデシルチオキサントン等が挙げられる。上記アシルフォスフィンオキサイド系光重合開始剤としては、例えば、２，４，６−トリメチルベンゾイル−ジフェニル−フォスフィンオキサイド、ビス（２，４，６−トリメチルベンゾイル）−フェニルフォスフィンオキサイド等が挙げられる。上記チタノセン系光重合開始剤としては、例えば、ビス（η5−２，４−シクロペンタジエン−１−イル）−ビス（２，６−ジフルオロ−３−（１Ｈ−ピロール−１−イル）−フェニル）チタニウム等が挙げられる。なお、光重合開始剤は、単独で又は２種以上を組み合わせて用いることができる。
【００８０】
上記アクリル系ポリマーの重合の際に上記光重合開始剤を用いる場合、上記光重合開始剤の使用量は、特に限定されないが、例えば、上記アクリル系ポリマーを構成する全モノマー成分１００重量部に対して、０．０１重量部以上であることが好ましく、より好ましくは０．１重量部以上であり、また、３重量部以下であることが好ましく、より好ましくは１．５重量部以下である。
【００８１】
本発明の粘着剤層は、特に限定されないが、紫外線吸収剤（ＵＶＡ）を含有することが好ましい。本発明の粘着剤層が紫外線吸収剤を含むと、抽出アクリル酸イオン量をより少なくすることができる傾向にある。特に、本発明の粘着剤層が溶剤型の粘着剤組成物から形成されたアクリル系粘着剤層である場合、紫外線吸収剤を含むことが好ましい。なお、紫外線吸収剤は、単独で又は２種以上組み合わせて用いることができる。
【００８２】
上記紫外線吸収剤としては、特に限定されないが、例えば、ベンゾトリアゾール系紫外線吸収剤、ヒドロキシフェニルトリアジン系紫外線吸収剤、ベンゾフェノン系紫外線吸収剤、サリチル酸エステル系紫外線吸収剤、シアノアクリレート系紫外線吸収剤、オキシベンゾフェノン系紫外線吸収剤などが挙げられる。
【００８３】
ベンゾトリアゾール系紫外線吸収剤（ベンゾトリアゾール系化合物）としては、例えば、２−（２−ヒドロキシ−５−ｔｅｒｔ−ブチルフェニル）−２Ｈ−ベンゾトリアゾール（商品名「ＴＩＮＵＶＩＮ  ＰＳ」、ＢＡＳＦ社製）、ベンゼンプロパン酸および３−（２Ｈ−ベンゾトリアゾール−２−イル）−５−（１，１−ジメチルエチル）−４−ヒドロキシ（Ｃ７−９側鎖および直鎖アルキル）のエステル化合物（商品名「ＴＩＮＵＶＩＮ  ３８４−２」、ＢＡＳＦ社製）、オクチル３−［３−ｔｅｒｔ−ブチル−４−ヒドロキシ−５−（５−クロロ−２Ｈ−ベンゾトリアゾール−２−イル）フェニル］プロピオネートおよび２−エチルヘキシル−３−［３−ｔｅｒｔ−ブチル−４−ヒドロキシ−５−（５−クロロ−２Ｈ−ベンゾトリアゾール−２イル）フェニル］プロピオネートの混合物（商品名「ＴＩＮＵＶＩＮ  １０９」、ＢＡＳＦ社製）、２−（２Ｈ−ベンゾトリアゾール−２−イル）−４，６−ビス（１−メチル−１−フェニルエチル）フェノール（商品名「ＴＩＮＵＶＩＮ  ９００」、ＢＡＳＦ社製）、２−（２Ｈ−ベンゾトリアゾール−２−イル）−６−（１−メチル−１−フェニルエチル）−４−（１，１，３，３−テトラメチルブチル）フェノール（商品名「ＴＩＮＵＶＩＮ  ９２８」、ＢＡＳＦ製）、メチル３−（３−（２Ｈ−ベンゾトリアゾール−２−イル）−５−ｔｅｒｔ−ブチル−４−ヒドロキシフェニル）プロピオネート／ポリエチレングリコール３００の反応生成物（商品名「ＴＩＮＵＶＩＮ  １１３０」、ＢＡＳＦ社製）、２−（２Ｈ−ベンゾトリアゾール−２−イル）−ｐ−クレゾール（商品名「ＴＩＮＵＶＩＮ  Ｐ」、ＢＡＳＦ社製）、２−（２Ｈ−ベンゾトリアゾール−２−イル）−４，６−ビス（１−メチル−１−フェニルエチル）フェノール（商品名「ＴＩＮＵＶＩＮ  ２３４」、ＢＡＳＦ社製）、２−［５−クロロ−２Ｈ−ベンゾトリアゾール−２−イル］−４−メチル−６−（ｔｅｒｔ−ブチル）フェノール（商品名「ＴＩＮＵＶＩＮ  ３２６」、ＢＡＳＦ社製）、２−（２Ｈ−ベンゾトリアゾール−２−イル）−４，６−ジ−ｔｅｒｔ−ペンチルフェノール（商品名「ＴＩＮＵＶＩＮ  ３２８」、ＢＡＳＦ社製）、２−（２Ｈ−ベンゾトリアゾール−２−イル）−４−（１，１，３，３−テトラメチルブチル）フェノール（商品名「ＴＩＮＵＶＩＮ  ３２９」、ＢＡＳＦ社製）、２，２’−メチレンビス［６−（２Ｈ−ベンゾトリアゾール−２−イル）−４−（１，１，３，３−テトラメチルブチル）フェノール］（商品名「ＴＩＮＵＶＩＮ  ３６０」、ＢＡＳＦ社製）、メチル３−（３−（２Ｈ−ベンゾトリアゾール−２−イル）−５−ｔｅｒｔ−ブチル−４−ヒドロキシフェニル）プロピオネートとポリエチレングリコール３００との反応生成物（商品名「ＴＩＮＵＶＩＮ  ２１３」、ＢＡＳＦ社製）、２−（２Ｈ−ベンゾトリアゾール−２−イル）−６−ドデシル−４−メチルフェノール（商品名「ＴＩＮＵＶＩＮ  ５７１」、ＢＡＳＦ社製）、２−［２−ヒドロキシ−３−（３，４，５，６−テトラヒドロフタルイミド−メチル）−５−メチルフェニル］ベンゾトリアゾール（商品名「Ｓｕｍｉｓｏｒｂ  ２５０」、住友化学（株）製）、２，２’−メチレンビス［６−（２Ｈ−ベンゾトリアゾール−２−イル）−４−ｔｅｒｔ−オクチルフェノール］（商品名「アデカスタブ  ＬＡ−３１」、（株）ＡＤＥＫＡ製）などが挙げられる。
【００８４】
ヒドロキシフェニルトリアジン系紫外線吸収剤（ヒドロキシフェニルトリアジン系化合物）としては、例えば、２−（４，６−ビス（２，４−ジメチルフェニル）−１，３，５−トリアジン−２−イル）−５−ヒドロキシフェニルと［（Ｃ１０−Ｃ１６（主としてＣ１２−Ｃ１３）アルキルオキシ）メチル］オキシランとの反応生成物（商品名「ＴＩＮＵＶＩＮ  ４００」、ＢＡＳＦ社製）、２−［４，６−ビス（２，４−ジメチルフェニル）−１，３，５−トリアジン−２−イル］−５−［３−（ドデシルオキシ）−２−ヒドロキシプロポキシ］フェノール）、２−（２，４−ジヒドロキシフェニル）−４，６−ビス−（２，４−ジメチルフェニル）−１，３，５−トリアジンと（２−エチルヘキシル）−グリシド酸エステルの反応生成物（商品名「ＴＩＮＵＶＩＮ  ４０５」、ＢＡＳＦ社製）、２，４−ビス（２−ヒドロキシ−４−ブトキシフェニル）−６−（２，４−ジブトキシフェニル）−１，３，５−トリアジン（商品名「ＴＩＮＵＶＩＮ  ４６０」、ＢＡＳＦ社製）、２−（４，６−ジフェニル−１，３，５−トリアジン−２−イル）−５−［（ヘキシル）オキシ］−フェノール（商品名「ＴＩＮＵＶＩＮ  １５７７」、ＢＡＳＦ社製）、２−（４，６−ジフェニル−１，３，５−トリアジン−２−イル）−５−［２−（２−エチルヘキサノイルオキシ）エトキシ］−フェノール（商品名「アデカスタブ  ＬＡ−４６」、（株）ＡＤＥＫＡ製）、２−（２−ヒドロキシ−４−［１−オクチルオキシカルボニルエトキシ］フェニル）−４，６−ビス（４−フェニルフェニル）−１，３，５−トリアジン（商品名「ＴＩＮＵＶＩＮ  ４７９」、ＢＡＳＦ社製）などが挙げられる。他にも、下記式（５）で示される化合物（商品名「ＴＩＮＵＶＩＮ  ４７７」、ＢＡＳＦ社製）が挙げられる。
【化５】
0006635727.tif 000006
【００８５】
ベンゾフェノン系紫外線吸収剤（ベンゾフェノン系化合物）、オキシベンゾフェノン系紫外線吸収剤（オキシベンゾフェノン系化合物）としては、例えば、２，４−ジヒドロキシベンゾフェノン、２−ヒドロキシ−４−メトキシベンゾフェノン、２−ヒドロキシ−４−メトキシベンゾフェノン−５−スルホン酸（無水及び三水塩）、２−ヒドロキシ−４−オクチルオキシベンゾフェノン、４−ドデシルオキシ−２−ヒドロキシベンゾフェノン、４−ベンジルオキシ−２−ヒドロキシベンゾフェノン、２，２’−ジヒドロキシ−４−メトキシベンゾフェノン（商品名「ＫＥＭＩＳＯＲＢ  １１１」、ケミプロ化成（株）製）、２，２'，４，４'−テトラヒドロキシベンゾフェノン（商品名「ＳＥＥＳＯＲＢ  １０６」、シプロ化成（株）製）、２，２'−ジヒドロキシ−４，４'−ジメトキシベンゾフェノンなどが挙げられる。
【００８６】
サリチル酸エステル系紫外線吸収剤（サリチル酸エステル系化合物）としては、例えば、フェニル２−アクリロイルオキシベンゾエート、フェニル２−アクロリイルオキシ−３−メチルベンゾエート、フェニル２−アクリロイルオキシ−４−メチルベンゾエート、フェニル２−アクリロイルオキシ−５−メチルベンゾエート、フェニル２−アクリロイルオキシ−３−メトキシベンゾエート、フェニル２−ヒドロキシベンゾエート、フェニル２−ヒドロキシ−３−メチルベンゾエート、フェニル２−ヒドロキシ−４−メチルベンゾエート、フェニル２−ヒドロキシ−５−メチルベンゾエート、フェニル２−ヒドロキシ−３−メトキシベンゾエート、２，４−ジ−ｔｅｒｔ−ブチルフェニル３，５−ジ−ｔｅｒｔ−ブチル−４−ヒドロキシベンゾエート（商品名「ＴＩＮＵＶＩＮ  １２０」、ＢＡＳＦ社製）などが挙げられる。
【００８７】
シアノアクリレート系紫外線吸収剤（シアノアクリレート系化合物）としては、例えば、アルキル２−シアノアクリレート、シクロアルキル２−シアノアクリレート、アルコキシアルキル２−シアノアクリレート、アルケニル２−シアノアクリレート、アルキニル２−シアノアクリレートなどが挙げられる。
【００８８】
上記紫外線吸収剤としては、高い紫外線吸収性を有しつつ、銀ナノワイヤー層の耐腐食性（特に、耐ＵＶ性）をより向上させる点、優れた光学特性、高い透明性を有する粘着剤層の得やすさの点、優れた光安定性をもつ点より、ベンゾトリアゾール系紫外線吸収剤、ベンゾフェノン系紫外線吸収剤、及びヒドロキシフェニルトリアジン系紫外線吸収剤からなる群より選ばれる少なくとも１種の紫外線吸収剤が好ましく、ベンゾトリアゾール系紫外線吸収剤、ベンゾフェノン系紫外線吸収剤がより好ましい。特に、炭素数が６以上の基及び水酸基を置換基として有するフェニル基がベンゾトリアゾール環を構成する窒素原子に結合しているベンゾトリアゾール系紫外線吸収剤が好ましい。
【００８９】
また、上記紫外線吸収剤は、より高い紫外線吸収性を得、銀ナノワイヤー層の耐腐食性（特に、耐ＵＶ性）をより向上させる点から、下記で求められる吸光度Ａが０．５以下であることが好ましい。
吸光度Ａ：前記紫外線吸収剤の０．０８％トルエン溶液に対して、波長４００ｎｍの光を当て、測定される吸光度
【００９０】
本発明の粘着剤層が紫外線吸収剤を含有する場合、本発明の粘着剤層（特にアクリル系粘着剤層）中の上記紫外線吸収剤の含有量は、特に限定されないが、抽出アクリル酸イオン量をより少なくすることができる点より、ベースポリマー１００重量部に対して、０．０１重量部以上であることが好ましく、より好ましくは０．０５重量部以上であり、さらに好ましくは０．１重量部以上である。また、上記紫外線吸収剤の含有量の上限は、紫外線吸収剤の添加に伴う粘着剤の黄色化現象の発生を抑制し、優れた光学特性、高い透明性、及び、優れた外観特性を得る点より、ベースポリマー１００重量部に対して、１０重量部以下であることが好ましく、より好ましくは９重量部以下であり、さらに好ましくは８重量部以下である。
【００９１】
本発明の粘着剤層は、光安定剤を含有していてもよい。本発明の粘着剤層が光安定剤を含有する場合は、特に、上記紫外線吸収剤とともに光安定剤を含有することが好ましい。光安定剤は、光酸化で生成するラジカルを捕捉できるので、粘着剤層の光（特に紫外線）に対する耐性を向上させることができる。なお、光安定剤は、単独で又は２種以上組み合わせて用いることができる。
【００９２】
上記光安定剤としては、特に限定されないが、例えば、フェノール系光安定剤（フェノール系化合物）、リン系光安定剤（リン系化合物）、チオエーテル系光安定剤（チオエーテル系化合物）、アミン系光安定剤（アミン系化合物）（特にヒンダードアミン系安定剤（ヒンダードアミン系化合物））などが挙げられる。
【００９３】
上記フェノール系光安定剤（フェノール系化合物）としては、例えば、２，６−ジ−第３級ブチル−４−メチルフェノール、４−ヒドロキシメチル−２，６−ジ−第３級ブチルフェノール、２，６−ジ−第３級ブチル−４−エチルフェノール、ブチル化ヒドロキシアニソール、ｎ−オクタデシル３−（４−ヒドロキシ−３，５−ジ−第３級ブチルフェニル）プロピオネート、ジステアリル（４−ヒドロキシ−３−メチル−５−第３級ブチル）ベンジルマロネート、トコフェロール、２，２'−メチレンビス（４−メチル−６−第３級ブチルフェノール）、２，２'−メチレンビス（４−エチル−６−第３級ブチルフェノール）、４，４’−メチレンビス（２，６−ジ−第３級ブチルフェノール）、４，４’−ブチリデンビス（６−第３級ブチル−ｍ−クレゾール）、４，４’−チオビス（６−第３級ブチル−ｍ−クレゾール）、スチレン化フェノール、Ｎ，Ｎ’−ヘキサメチレンビス（３，５−ジ−第３級ブチル−４−ヒドロキシヒドロシンナミド、ビス（３，５−ジ−第３級ブチル−４−ヒドロキシベンジルホスホン酸エチルエステル）カルシウム、１，１，３−トリス（２−メチル−４−ヒドロキシ−５−第３級ブチルフェニル）ブタン、１，３，５−トリメチル−２，４，６−トリス（３，５−ジ−第３級ブチル−４−ヒドロキシベンジル）ベンゼン、テトラキス［３−（３，５−ジ−第３級ブチル−４−ヒドロキシフェニル）プロピオニルオキシメチル］メタン、１，６−ヘキサンジオール−ビス［３−（３，５−ジ−第３級ブチル−４−ヒドロキシフェニル）プロピオネート］、２，２’−メチレンビス（４−メチル−６−シクロヘキシルフェノール）、２，２’−メチレンビス［６−（１−メチルシクロヘキシル）−ｐ−クレゾール］、１，３，５−トリス（４−第３級ブチル−３−ヒドロキシ−２，６−ジメチルベンジル）イソシアヌル酸、１，３，５−トリス（３，５−ジ−第３級ブチル−４−ヒドロキシベンジル）イソシアヌル酸、トリエチレングリコール−ビス［３−（３−第３級ブチル−４−ヒドロキシ−５−メチルフェニル）プロピオネート］、２，２’−オキサミドビス［エチル３−（３，５−ジ−第３級ブチル−４−ヒドロキシフェニル）プロピオネート］、６−（４−ヒドロキシ−３，５−ジ−第３級ブチルアニリノ）−２，４−ジオクチルチオ−１，３，５−トリアジン、ビス［２−第３級ブチル−４−メチル−６−（２−ヒドロキシ−３−第３級ブチル−５−メチルベンジル）フェニル］テレフタレート、３，９−ビス｛２−［３−（３−第３級ブチル−４−ヒドロキシ−５−メチルフェニル）プロピオニルオキシ］−１，１−ジメチルエチル｝−２，４，８，１０−テトラオキサスピロ［５．５］ウンデカン、３，９−ビス｛２−［３−（３，５−ジ−第３級ブチル−４−ヒドロキシフェニル）プロピオニルオキシ］−１，１−ジメチルエチル｝−２，４，８，１０−テトラオキサスピロ［５．５］ウンデカンなどが挙げられる。
【００９４】
リン系光安定剤（リン系化合物）としては、例えば、トリスノニルフェニルホスファイト、トリス（２，４−ジ−第３級ブチルフェニル）ホスファイト、トリス［２−第３級ブチル−４−（３−第３級ブチル−４−ヒドロキシ−５−メチルフェニルチオ）−５−メチルフェニル］ホスファイト、トリデシルホスファイト、オクチルジフェニルホスファイト、ジ（デシル）モノフェニルホスファイト、ジ（トリデシル）ペンタエリスリトールジホスファイト、ジステアリルペンタエリスリトールジホスファイト、ジ（ノニルフェニル）ペンタエリスリトールジホスファイト、ビス（２，４−ジ−第３級ブチルフェニル）ペンタエリスリトールジホスファイト、ビス（２，６−ジ−第３級ブチル−４−メチルフェニル）ペンタエリスリトールジホスファイト、ビス（２，４，６−トリ−第３級ブチルフェニル）ペンタエリスリトールジホスファイト、テトラ（トリデシル）イソプロピリデンジフェノールジホスファイト、テトラ（トリデシル）−４，４’−ｎ−ブチリデンビス（２−第３級ブチル−５−メチルフェノール）ジホスファイト、ヘキサ（トリデシル）−１，１，３−トリス（２−メチル−４−ヒドロキシ−５−第３級ブチルフェニル）ブタントリホスファイト、テトラキス（２，４−ジ−第３級ブチルフェニル）ビフェニレンジホスホナイト、９，１０−ジハイドロ−９−オキサ−１０−ホスファフェナンスレン−１０−オキサイド、トリス（２−［（２，４，８，１０−テトラキス−第３級ブチルジベンゾ［ｄ，ｆ］［１，３，２］ジオキサホスフェピン−６−イル）オキシ］エチル）アミンなどが挙げられる。
【００９５】
チオエーテル系光安定剤（チオエーテル系化合物）としては、例えば、チオジプロピオン酸ジラウリル、ジミリスチル、ジステアリル等のジアルキルチオジプロピオネート化合物；テトラキス［メチレン（３−ドデシルチオ）プロピオネート］メタン等のポリオールのβ−アルキルメルカプトプロピオン酸エステル化合物などが挙げられる。
【００９６】
アミン系光安定剤（アミン系化合物）としては、例えば、コハク酸ジメチルおよび４−ヒドロキシ−２，２，６，６−テトラメチル−１−ピペリジンエタノールの重合物（商品名「ＴＩＮＵＶＩＮ  ６２２」、ＢＡＳＦ社製）、コハク酸ジメチルおよび４−ヒドロキシ−２，２，６，６−テトラメチル−１−ピペリジンエタノールの重合物とＮ，Ｎ’，Ｎ’’，Ｎ’’’−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミンとの１対１の反応生成物（商品名「ＴＩＮＵＶＩＮ  １１９」、ＢＡＳＦ社製）、ジブチルアミン・１，３−トリアジン・Ｎ、Ｎ’−ビス（２，２，６，６−テトラメチル−４−ピペリジル−１，６−ヘキサメチレンジアミンとＮ−（２，２，６，６−テトラメチル−４−ピペリジル）ブチルアミンの重縮合物（商品名「ＴＩＮＵＶＩＮ  ２０２０」、ＢＡＳＦ社製）、ポリ［｛６−（１，１，３，３−テトラメチルブチル）アミノ−１，３，５−トリアジン−２−４−ジイル｝｛２，２，６，６−テトラメチル−４−ピペリジル｝イミノ］ヘキサメチレン｛（２，２，６，６−テトラメチル−４−ピペリジル）イミノ｝（商品名「ＴＩＮＵＶＩＮ  ９４４」、ＢＡＳＦ社製）、ビス（１，２，２，６，６−ペンタメチル−４−ピペリジル）セバケートおよびメチル１、２，２，６，６−ペンタメチル−４−ピペリジルセバケートの混合物（商品名「ＴＩＮＵＶＩＮ  ７６５」、ＢＡＳＦ社製）、ビス（２，２，６，６−テトラメチル−４−ピペリジル）セバケート（商品名「ＴＩＮＵＶＩＮ  ７７０」、ＢＡＳＦ社製）、デカン二酸ビス（２，２，６，６−テトラメチル−１−（オクチルオキシ）−４−ピペリジニル）エステル、１，１−ジメチルエチルヒドロペルオキシドとオクタンの反応生成物（商品名「ＴＩＮＵＶＩＮ  １２３」、ＢＡＳＦ社製）、ビス（１，２，２，６，６−ペンタメチル−４−ピペリジル）［［３，５−ビス（１，１−ジメチルエチル）−４−ヒドロキシフェニル］メチル］ブチルマロネート（商品名「ＴＩＮＵＶＩＮ  １４４」、ＢＡＳＦ社製）、シクロヘキサンおよび過酸化Ｎ−ブチル２，２，６，６−テトラメチル−４−ピペリジンアミン−２，４，６−トリクロロ−１，３，５−トリアジンの反応生成物と２−アミノエタノールとの反応生成物（商品名「ＴＩＮＵＶＩＮ  １５２」、ＢＡＳＦ社製）、ビス（１，２，２，６，６−ペンタメチル−４−ピペリジル）セバケートおよびメチル１，２，２，６，６−ペンタメチル−４−ピペリジルセバケートの混合物（商品名「ＴＩＮＵＶＩＮ  ２９２」、ＢＡＳＦ社製）、１，２，３，４−ブタンテトラカルボン酸と１，２，２，６，６−ペンタメチル−４−ピペリジノールおよび３，９−ビス（２−ヒドロキシ−１，１−ジメチルエチル）−２，４，８，１０−テトラオキサスピロ［５．５］ウンデカンとの混合エステル化物（商品名「アデカスタブ  ＬＡ−６３Ｐ」、（株）ＡＤＥＫＡ製）などが挙げられる。アミン系安定剤としては、特に、ヒンダードアミン系安定剤が好ましい。
【００９７】
本発明の粘着剤層が光安定剤を含有する場合、本発明の粘着剤層（特に、アクリル系粘着剤層）中の、光安定剤の含有量は、特に限定されないが、光に対する耐性を発現しやすくする点より、ベースポリマー１００重量部に対して、０．１重量部以上であることが好ましく、より好ましくは０．２重量部以上である。また、上記含有量の上限は、光安定剤自体による着色が生じにくくなり、高い透明性が得やすい点、光学特性の点より、ベースポリマー１００重量部に対して、５重量部以下であることが好ましく、より好ましくは３重量部以下である。
【００９８】
本発明の粘着剤層の形成には、特に限定されないが、架橋剤が用いられていてもよい。例えば、アクリル系粘着剤層におけるアクリル系ポリマーを架橋し、ゲル分率をコントロールすることができる。なお、架橋剤は、単独で又は２種以上組み合わせて用いることができる。
【００９９】
上記架橋剤としては、特に限定されないが、例えば、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。中でも、イソシアネート系架橋剤、エポキシ系架橋剤が好ましく、より好ましくはイソシアネート系架橋剤である。
【０１００】
上記イソシアネート系架橋剤（多官能イソシアネート化合物）としては、例えば、１，２−エチレンジイソシアネート、１，４−ブチレンジイソシアネート、１，６−ヘキサメチレンジイソシアネートなどの低級脂肪族ポリイソシアネート類；シクロペンチレンジイソシアネート、シクロヘキシレンジイソシアネート、イソホロンジイソシアネート、水素添加トリレンジイソシアネート、水素添加キシレンジイソシアネートなどの脂環族ポリイソシアネート類；２，４−トリレンジイソシアネート、２，６−トリレンジイソシアネート、４，４’−ジフェニルメタンジイソシアネート、キシリレンジイソシアネートなどの芳香族ポリイソシアネート類などが挙げられる。また、上記イソシアネート系架橋剤としては、例えば、トリメチロールプロパン／トリレンジイソシアネート付加物（商品名「コロネートＬ」、日本ポリウレタン工業（株）製）、トリメチロールプロパン／ヘキサメチレンジイソシアネート付加物（商品名「コロネートＨＬ」、日本ポリウレタン工業（株）製）、トリメチロールプロパン／キシリレンジイソシアネート付加物（商品名「タケネートＤ−１１０Ｎ」、三井化学（株）製）などの市販品も挙げられる。
【０１０１】
上記エポキシ系架橋剤（多官能エポキシ化合物）としては、例えば、Ｎ，Ｎ，Ｎ’，Ｎ’−テトラグリシジル−ｍ−キシレンジアミン、ジグリシジルアニリン、１，３−ビス（Ｎ，Ｎ−ジグリシジルアミノメチル）シクロヘキサン、１，６−ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、ｏ−フタル酸ジグリシジルエステル、トリグリシジル−トリス（２−ヒドロキシエチル）イソシアヌレート、レゾルシンジグリシジルエーテル、ビスフェノール−Ｓ−ジグリシジルエーテルの他、分子内にエポキシ基を２つ以上有するエポキシ系樹脂などが挙げられる。また、上記エポキシ系架橋剤としては、例えば、商品名「テトラッドＣ」（三菱ガス化学（株）製）などの市販品も挙げられる。
【０１０２】
本発明の粘着剤層の形成に架橋剤が用いられる場合、上記架橋剤の使用量は、特に限定されないが、十分な接着信頼性を得る点より、ベースポリマー１００重量部に対して、０．００１重量部以上であることが好ましく、より好ましくは０．０１重量部以上である。また、上記使用量の上限は、粘着剤層において適度な柔軟性を得て、粘着力を向上させる点より、ベースポリマー１００重量部に対して、１０重量部以下であることが好ましく、より好ましくは５重量部以下である。
【０１０３】
本発明の粘着剤層（特に、アクリル系粘着剤層）は、加湿条件下での接着信頼性を向上させる点、特にガラスに対する接着信頼性を向上させる点より、シランカップリング剤を含有していてもよい。なお、シランカップリング剤は、単独で又は２種以上組み合わせて用いることができる。上記粘着剤層がシランカップリング剤を含有すると、加湿条件下での接着性、特にガラスに対する接着性を向上させることができる。
【０１０４】
上記シランカップリング剤としては、特に限定されないが、例えば、γ−グリシドキシプロピルトリメトキシシラン、γ−グリシドキシプロピルトリエトキシシラン、γ−アミノプロピルトリメトキシシラン、Ｎ−フェニル−アミノプロピルトリメトキシシランなどが挙げられる。さらに、シランカップリング剤としては、例えば、商品名「ＫＢＭ−４０３」（信越化学工業（株）製）などの市販品も挙げられる。中でも、上記シランカップリング剤としては、γ−グリシドキシプロピルトリメトキシシランが好ましい。
【０１０５】
本発明の粘着剤層がシランカップリング剤を含有する場合、本発明の粘着剤層（特に、アクリル系粘着剤層）中の、上記シランカップリング剤の含有量は、特に限定されないが、上記ベースポリマー１００重量部に対して、０．０１重量部以上であることが好ましく、より好ましくは０．０２重量部以上である。また、上記シランカップリング剤の含有量の上限は、上記ベースポリマー１００重量部に対して、１重量部以下であることが好ましく、より好ましくは０．５重量部以下である。
【０１０６】
本発明の粘着剤層は、必要に応じて、さらに、架橋促進剤、粘着付与樹脂（ロジン誘導体、ポリテルペン樹脂、石油樹脂、油溶性フェノールなど）、老化防止剤、充填剤、着色剤（顔料や染料など）、酸化防止剤、連鎖移動剤、可塑剤、軟化剤、界面活性剤、帯電防止剤などの添加剤を、本発明の効果を損なわない範囲で含有していてもよい。なお、このような添加剤は、単独で又は２種以上組み合わせて用いることができる。
【０１０７】
本発明の粘着剤層が溶剤型のアクリル系粘着剤組成物から形成される場合、本発明の粘着剤層は、上記抽出アクリル酸イオン量を粘着剤層１ｇあたり５μｇ／ｇ以下とする観点から、上記の中でも、アクリル系ポリマー及び紫外線吸収剤を含有することが好ましく、アクリル系ポリマーを粘着剤層の総重量１００重量％に対して５０重量％以上、紫外線吸収剤をアクリル系ポリマー１００重量部に対して０．０５〜９重量部（好ましくは０．１〜８重量部）含有することがより好ましい。さらに、本発明の粘着剤層は、炭素数が４〜１８の直鎖又は分岐鎖状のアルキル基を有する（メタ）アクリル酸アルキルエステルを５０〜９０重量％（好ましくは５５〜８５重量％）、窒素原子含有モノマー及び水酸基含有モノマーからなる群より選ばれた１種以上のモノマーを１０〜５０重量％（好ましくは１５〜４０重量％）、炭素数が６〜１０の脂環構造含有モノマーを０〜４０重量％（好ましくは０〜３０重量％）含むモノマー混合物から構成されたアクリル系ポリマーを粘着剤層の総重量１００重量％に対して５０重量％以上、紫外線吸収剤をアクリル系ポリマー１００重量部に対して０．０５〜９重量部（好ましくは０．１〜８重量部）含有することが特に好ましい。
【０１０８】
本発明の粘着剤層が活性エネルギー線硬化型のアクリル系粘着剤組成物から形成される場合、本発明の粘着剤層は、上記抽出アクリル酸イオン量を粘着剤層１ｇあたり５μｇ／ｇ以下とする観点から、上記の中でも、炭素数が４〜１８の直鎖又は分岐鎖状のアルキル基を有する（メタ）アクリル酸アルキルエステルを５０〜９０重量％（好ましくは５５〜８５重量％）、窒素原子含有モノマー及び水酸基含有モノマーからなる群より選ばれた１種以上のモノマーを１０〜５０重量％（好ましくは１５〜４０重量％）であるモノマー混合物から構成されたアクリル系ポリマーを含有することが好ましく、炭素数が４〜１８の直鎖又は分岐鎖状のアルキル基を有する（メタ）アクリル酸アルキルエステルを５０〜９０重量％（好ましくは５５〜８５重量％）、窒素原子含有モノマー及び水酸基含有モノマーからなる群より選ばれた１種以上のモノマーを１０〜５０重量％（好ましくは１５〜４０重量％）であるモノマー混合物から構成されたアクリル系ポリマーを５０重量％以上含有することがより好ましい。さらに、本発明の粘着剤層は、炭素数が４〜１８の直鎖又は分岐鎖状のアルキル基を有する（メタ）アクリル酸アルキルエステルを５０〜９０重量％（好ましくは５５〜８５重量％）、窒素原子含有モノマーを３〜３０重量％（好ましくは５〜２５重量％）、水酸基含有モノマーを０．８〜２５重量％（好ましくは１〜１５重量％）、炭素数が６〜１０の脂環構造含有モノマーを０〜４０重量％（好ましくは０〜３０重量％）含み、窒素原子含有モノマー及び水酸基含有モノマーの割合の合計が１０〜５０重量％（好ましくは１５〜４０重量％）であるモノマー混合物から構成されたアクリル系ポリマーを５０重量％以上含有することが特に好ましい。
【０１０９】
本発明の粘着剤層のヘイズは、特に限定されないが、外観特性、透明性、光学特性の点より、５％以下が好ましく、より好ましくは３％以下であり、さらに好ましくは１％以下である。なお、本明細書において、ヘイズは、例えば、ヘイズメーターを用い、ＪＩＳ  Ｋ  ７１３６に準じて測定することができる。
【０１１０】
本発明の粘着剤層の全光線透過率は、特に限定されないが、外観特性、透明性、光学特性の点より、８５％以上が好ましく、より好ましくは９０％以上であり、さらに好ましくは９２％以上である。なお、本明細書において、全光線透過率は、例えば、ヘイズメーターを用い、ＪＩＳ  Ｋ  ７３６１−１に準じて測定することができる。なお、上記全光線透過率は、波長４００〜７８０ｎｍの光（可視光）の透過率である。
【０１１１】
本発明の粘着剤層のａ*は、特に限定されないが、優れた光学特性、優れた外観特性を得る点より、−０．５以上であることが好ましく、より好ましくは−０．３以上であり、さらに好ましくは−０．１以上である。また、優れた光学特性、優れた外観特性を得る点より、０．５以下であることが好ましく、より好ましくは０．３以下であり、さらに好ましくは０．１以下である。なお、本明細書において、ａ*値は、Ｌ*ａ*ｂ*表色系のａ*値であり、ＪＩＳ  Ｚ  ８７８１−４（２０１３年）に準拠し、例えば、簡易型分光色差計（商品名「ＤＯＴ−３Ｃ」、（株）村上色彩技術研究所製）により測定することができる。
【０１１２】
本発明の粘着剤層のｂ*は、特に限定されないが、０．７以下であることが好ましく、より好ましくは０．５以下であり、さらに好ましくは０．４以下である。ｂ*が０．７以下であると、光学特性に優れ、外観特性に優れる。本発明の光学用粘着シートが用いられている光学製品（特に、ＬＣＤをはじめとする表示パネルを有する光学製品）で、画面の明るさ、色の濃さ、色合いを損なわないという利点がある。なお、本明細書において、ｂ*値は、Ｌ*ａ*ｂ*表色系のｂ*値であり、ＪＩＳ  Ｚ  ８７８１−４（２０１３年）に準拠し、例えば、簡易型分光色差計（商品名「ＤＯＴ−３Ｃ」、（株）村上色彩技術研究所製）により測定することができる。
【０１１３】
本発明の粘着剤層の厚みは、特に限定されないが、紫外線吸収性を確保しつつ、銀ナノワイヤー層や後述の保護層に対する十分な接着信頼性を得る点より、１２μｍ以上が好ましく、好ましくは１５μｍ以上であり、さらに好ましくは２０μｍ以上、特に好ましくは７０μｍ以上である。上記厚みが１２μｍ以上であると、抽出アクリル酸イオン量がより減少する傾向にあり、好ましい。また、上記厚みは、光学特性の点より、５００μｍ以下が好ましく、好ましくは３００μｍ以下であり、さらに好ましくは２００μｍ以下である。
【０１１４】
本発明の粘着剤層（特に、アクリル系粘着剤層）の作製方法は、特に限定されないが、例えば、上記粘着剤組成物を基材又は剥離ライナー上に塗布（塗工）し、得られた粘着剤組成物層を乾燥硬化させることや、上記粘着剤組成物を基材又は剥離ライナー上に塗布（塗工）し、得られた粘着剤組成物層に活性エネルギー線を照射して硬化させることが挙げられる。また、必要に応じて、さらに、加熱乾燥してもよい。
【０１１５】
上記活性エネルギー線としては、例えば、α線、β線、γ線、中性子線、電子線などの電離性放射線や、紫外線などが挙げられ、特に、紫外線が好ましい。また、活性エネルギー線の照射エネルギー、照射時間、照射方法などは特に制限されない。
【０１１６】
上記粘着剤組成物は、公知乃至慣用の方法で作製することができる。例えば、溶剤型のアクリル系粘着剤組成物は、上記アクリル系ポリマーを含有する溶液に、必要に応じて、添加剤（例えば、紫外線吸収剤など）を混合することにより、作製することができる。例えば、活性エネルギー線硬化型のアクリル系粘着剤組成物は、上記アクリル系モノマーの混合物又はその部分重合物に、必要に応じて、添加剤（例えば、紫外線吸収剤など）を混合することにより、作製することができる。
【０１１７】
なお、上記粘着剤組成物の塗布（塗工）には、公知のコーティング法を利用してもよい。例えば、グラビヤロールコーター、リバースロールコーター、キスロールコーター、ディップロールコーター、バーコーター、ナイフコーター、スプレーコーター、コンマコーター、ダイレクトコーターなどのコーターが用いられてもよい。
【０１１８】
特に、活性エネルギー線硬化型の粘着剤組成物により粘着剤層を形成する場合、活性エネルギー線硬化型の粘着剤組成物は光重合開始剤を含むことが好ましい。なお、活性エネルギー線硬化型の粘着剤組成物が紫外線吸収剤を含有する場合には、光重合開始剤として、広い波長範囲で吸光特性を有する光重合開始剤を少なくとも含むことが好ましい。例えば、紫外光に加え、可視光でも吸光特性を有する光重合開始剤を少なくとも含むことが好ましい。これは、紫外線吸収剤の作用により活性エネルギー線による硬化の阻害が懸念されるところ、広い波長範囲で吸光特性を有する光重合開始剤を含んでいると、粘着剤組成物において高い光硬化性が得やすくなるからである。
【０１１９】
（基材）
本発明の光学用粘着シートが基材付き粘着シートである場合の基材としては、特に限定されないが、例えば、プラスチックフィルム、反射防止（ＡＲ）フィルム、偏光板、位相差板などの各種光学フィルムが挙げられる。上記プラスチックフィルムなどの素材としては、例えば、ポリエチレンテレフタレート（ＰＥＴ）等のポリエステル系樹脂、ポリメチルメタクリレート（ＰＭＭＡ）等のアクリル系樹脂、ポリカーボネート、トリアセチルセルロース（ＴＡＣ）、ポリサルフォン、ポリアリレート、ポリイミド、ポリ塩化ビニル、ポリ酢酸ビニル、ポリエチレン、ポリプロピレン、エチレン−プロピレン共重合体、商品名「アートン」（環状オレフィン系ポリマー、ＪＳＲ（株）製）、商品名「ゼオノア」（環状オレフィン系ポリマー、日本ゼオン（株）製）等の環状オレフィン系ポリマーなどのプラスチック材料が挙げられる。なお、これらのプラスチック材料は、単独で又は２種以上を組み合わせて用いることができる。また、上記の「基材」とは、粘着シートを被着体（光学部材等）に貼付する際には、粘着剤層とともに被着体に貼付される部分である。粘着シートの使用時（貼付時）に剥離される剥離ライナーは「基材」には含まない。
【０１２０】
上記基材は、透明であることが好ましい。上記基材の可視光波長領域における全光線透過率（ＪＩＳ  Ｋ  ７３６１−１に準じる）は、特に限定されないが、８５％以上が好ましく、より好ましくは８８％以上である。また、上記基材のヘイズ（ＪＩＳ  Ｋ  ７１３６に準じる）は、特に限定されないが、１．５％以下が好ましく、より好ましくは１．０％以下である。
【０１２１】
上記基材の厚みは、特に限定されないが、例えば、１２〜７５μｍが好ましい。なお、上記基材は単層および複層のいずれの形態を有していてもよい。また、上記基材の表面には、例えば、コロナ放電処理、プラズマ処理等の物理的処理、下塗り処理等の化学的処理などの公知慣用の表面処理が適宜施されていてもよい。
【０１２２】
（剥離ライナー）
本発明の光学用粘着シートは、使用時まで、粘着剤層の表面（粘着面）に剥離ライナー（セパレーター）が設けられていてもよい。なお、本発明の光学用粘着シートが両面粘着シートである場合の各粘着面は、２枚の剥離ライナーによりそれぞれ保護されていてもよいし、両面が剥離面となっている剥離ライナー１枚により、ロール状に巻回される形態（巻回体）で保護されていてもよい。剥離ライナーは粘着剤層の保護材として用いられ、被着体に貼付する際に剥がされる。また、本発明の光学用粘着シートが基材レス粘着シートの場合、剥離ライナーは粘着剤層の支持体としての役割も担う。なお、剥離ライナーは必ずしも設けられなくてもよい。
【０１２３】
上記剥離ライナーとしては、慣用の剥離紙などを使用でき、特に限定されないが、例えば、剥離処理層を有する基材、フッ素ポリマーからなる低接着性基材や無極性ポリマーからなる低接着性基材などが挙げられる。上記剥離処理層を有する基材としては、例えば、シリコーン系、長鎖アルキル系、フッ素系、硫化モリブデン等の剥離処理剤により表面処理されたプラスチックフィルムや紙などが挙げられる。上記フッ素ポリマーからなる低接着性基材におけるフッ素系ポリマーとしては、例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体などが挙げられる。また、上記無極性ポリマーとしては、例えば、オレフィン系樹脂（例えば、ポリエチレン、ポリプロピレン等）などが挙げられる。なお、剥離ライナーは公知乃至慣用の方法により形成することができる。また、剥離ライナーの厚みも特に限定されない。
【０１２４】
（本発明の光学用粘着シート）
本発明の光学用粘着シートの厚みは、特に限定されないが、１２μｍ以上が好ましく、好ましくは１５μｍ以上であり、さらに好ましくは２０μｍ以上、特に好ましくは５０μｍ以上である。また、上記厚みは、光学特性の点より、５００μｍ以下が好ましく、好ましくは３００μｍ以下であり、さらに好ましくは２００μｍ以下である。なお、本発明の光学用粘着シートの厚みには、上記剥離ライナーの厚みは含まれない。
【０１２５】
本発明の光学用粘着シートの、銀ナノワイヤー層を有する光学部材に貼付した直後の抵抗値（「貼付直後の抵抗値」と称する場合がある）に対する、銀ナノワイヤー層を有する光学部材に貼付し、紫外線を１００時間照射した後の抵抗値（「ＵＶ照射１００時間経過後の抵抗値」と称する場合がある）の割合［（ＵＶ照射１００時間経過後の抵抗値）／（貼付直後の抵抗値）］（倍）（「抵抗値上昇率」と称する場合がある）は、特に限定されないが、３倍以下（例えば、０〜３倍）が好ましく、より好ましくは２倍以下（例えば、０〜２倍）、さらに好ましくは１．５倍以下（例えば、０〜１．５倍）である。
【０１２６】
なお、上記「ＵＶ照射１００時間経過後の抵抗率」は、例えば、光学用粘着シートを、銀ナノワイヤー層を有する光学部材に貼付したものを、温度：４５℃、湿度：５０％ＲＨの環境下、照度６５Ｗ／ｃｍ2で紫外線を１００時間照射したものの抵抗値を測定して得ることができる。また、上記「貼付直後の抵抗率」及び上記「ＵＶ照射１００時間経過後の抵抗率」は、公知乃至慣用の抵抗値測定器を用いて測定することができ、例えば、商品名「ＥＣ−８０」（ナプソン（株）製）を用いて測定することができる。また、上記紫外線の照射には、公知乃至慣用の紫外線照射器を使用することができ、例えば、商品名「スーパーキセノンウェザーメーター  ＳＸ７５」（スガ試験機（株）製）を使用することができる。なお、抵抗率の測定において、光学用粘着シートを、銀ナノワイヤー層を有する光学部材に貼付する場合、光学用粘着シートは、表面に後述の保護層が設けられていてもよい銀ナノワイヤー層に貼付することが好ましい。
【０１２７】
本発明の光学用粘着シートのヘイズは、特に限定されないが、外観特性、透明性、光学特性の点より、５％以下が好ましく、より好ましくは３％以下であり、さらに好ましくは１％以下である。
【０１２８】
本発明の光学用粘着シートの全光線透過率は、特に限定されないが、外観特性、透明性、光学特性の点より、８５％以上が好ましく、より好ましくは９０％以上であり、さらに好ましくは９２％以上である。
【０１２９】
本発明の光学用粘着シートにおけるａ*は、特に限定されないが、優れた光学特性、優れた外観特性を得る点より、−０．５以上であることが好ましく、より好ましくは−０．３以上であり、さらに好ましくは−０．１以上である。また、優れた光学特性、優れた外観特性を得る点より、０．５以下であることが好ましく、より好ましくは０．３以下であり、さらに好ましくは０．１以下である。
【０１３０】
本発明の光学用粘着シートにおけるｂ*は、特に限定されないが、優れた光学特性、優れた外観特性を得る点より、０．７以下であることが好ましく、より好ましくは０．５以下であり、さらに好ましくは０．４以下である。
【０１３１】
本発明の光学用粘着シートの、本発明の粘着剤層側の粘着力は、特に限定されないが、銀ナノワイヤー層や後述の保護層に対する接着信頼性の点より、６Ｎ／２０ｍｍ以上であることが好ましく、より好ましくは７Ｎ／２０ｍｍ以上であり、さらに好ましくは１０Ｎ／２０ｍｍ以上である。上記粘着力は、１８０°引きはがし粘着力であり、ＪＩＳ  Ｚ  ０２３７に準拠して、引張速度３００ｍｍ／ｍｉｎ、引張角度１８０°（度）の条件で、被着体から引き剥がすことにより測定することができる。
【０１３２】
従来の光学用粘着シートは、粘着剤層中のアクリル系ポリマーを形成するモノマー成分としての（メタ）アクリル酸の使用量を少なくすることによって、粘着シートより抽出されたアクリル酸イオン及びメタクリル酸イオンの含有量を粘着剤層の単位面積あたり２０ｎｇ／ｃｍ2以下とし、貼付する金属薄膜に対する耐腐食性を向上させていた。このような従来の光学用粘着シートは、粘着剤層中のポリマーを形成するモノマー成分として（メタ）アクリル酸を使用しなければアクリル酸イオン及びメタクリル酸イオンの含有量を２０ｎｇ／ｃｍ2以下とすることが可能であった。しかしながら、このような従来の光学用粘着シートは、ＩＴＯ層に対する耐腐食性は十分であったが、銀ナノワイヤー層に対する耐腐食性が不十分な場合があった。即ち、粘着剤層中のポリマーを形成するモノマー成分として（メタ）アクリル酸を使用しなくても、粘着シートの銀ナノワイヤー層に対する耐腐食性が不十分な場合があった。これに対し、本発明の光学用粘着シートは、銀ナノワイヤー層用光学用粘着シートであり、イオンクロマトグラフ法で測定される、粘着剤層より純水で１００℃、４５分の条件で抽出されたアクリル酸イオンの量が、粘着剤層１ｇあたり５μｇ／ｇ以下である粘着剤層を有しており、これにより、当該粘着剤層を、銀ナノワイヤー層が存在する光学部材側となるように（特に、銀ナノワイヤー層に直接貼付、又は銀ナノワイヤー層を保護する層に貼付するように）本発明の光学用粘着シートを貼付した場合であっても、アクリル酸イオンによる銀ナノワイヤー層中の銀のイオン化を抑制することによって耐腐食性（特に、耐ＵＶ性）が向上し、抵抗値上昇（特に、紫外線を照射した際の抵抗値上昇）を抑制することを可能としている。
【０１３３】
本発明の光学用粘着シートは、特に限定されないが、公知乃至慣用の製造方法に従って製造されることが好ましい。例えば、本発明の光学用粘着シートが基材レス粘着シートである場合には、剥離ライナー上に上記の方法により本発明の粘着剤層を形成することにより得られる。また、本発明の光学用粘着シートが基材付き粘着シートである場合には、本発明の粘着剤層を基材の表面に直接形成することにより得てもよいし（直写法）、いったん剥離ライナー上に本発明の粘着剤層を形成した後、基材に転写する（貼り合わせる）ことにより、基材上に本発明の粘着剤層を設けることにより得てもよい（転写法）。
【０１３４】
本発明の光学用粘着シートは、光学用途に用いられる。より具体的には、銀ナノワイヤー層を有する光学部材が用いられた製品（光学製品）における当該光学部材に貼付する用途（銀ナノワイヤー層用光学用途）に用いられる。なお、本発明の光学用粘着シートを、銀ナノワイヤー層を有する光学部材に貼付する際は、本発明の粘着剤層の粘着面が銀ナノワイヤー層に接触するように貼付（直接貼付）してもよいし、銀ナノワイヤー層以外の層（例えば、保護層、銀ナノワイヤー層以外の後述の光学部材等）に貼付してもよい。本発明の光学用粘着シートは、中でも、銀ナノワイヤー層に直接貼付又は銀ナノワイヤー層を保護する層（後述の保護層）に貼付する用途（銀ナノワイヤー層貼付用）に用いられることが好ましい。銀ナノワイヤー層としては、例えば、銀を含む金属細線がメッシュ印刷された層、銀を含む金属細線（ナノワイヤー）により形成されたフィルム（銀ナノワイヤーフィルム）などが挙げられる。
【０１３５】
上記光学部材とは、光学的特性（例えば、偏光性、光屈折性、光散乱性、光反射性、光透過性、光吸収性、光回折性、旋光性、視認性等）を有する部材をいう。上記光学部材を構成する基板としては、特に限定されないが、例えば、表示装置（画像表示装置）、入力装置等の機器（光学機器）を構成する基板又はこれらの機器に用いられる基板が挙げられ、例えば、偏光板、波長板、位相差板、光学補償フィルム、輝度向上フィルム、導光板、反射フィルム、反射防止フィルム、ハードコートフィルム（ＰＥＴフィルム等のプラスチックフィルムの少なくとも片面にハードコート処理が施されたフィルム）、透明導電フィルム、意匠フィルム、装飾フィルム、表面保護板、プリズム、レンズ、カラーフィルター、透明基板（ガラスセンサー、ガラス製表示パネル（ＬＣＤ等）、透明電極付きガラス板等のガラス基板等）や、さらにはこれらが積層されている基板（これらを総称して「機能性フィルム」と称する場合がある）等が挙げられる。また、これらのフィルムは、印刷層、導電性高分子層等を有していてもよい。なお、上記の「板」及び「フィルム」は、それぞれ板状、フィルム状、シート状等の形態を含むものとし、例えば、「偏光フィルム」は、「偏光板」及び「偏光シート」等を含むものとする。
【０１３６】
上記光学部材としては、タッチセンサーやフィルムセンサーも挙げられる。より具体的には、表面にＩＴＯ（酸化インジウムスズ）層を有するフィルム；表面に酸化亜鉛（ＺｎＯ）層を有するフィルム；表面に金属ナノ粒子を含む液を塗布することにより得られるフィルム、金属ナノ粒子を含む液で表面をメッシュ印刷することにより得られるフィルムなどの金属ナノ粒子を用いたフィルム；表面にカーボンナノチューブを含む分散液を塗布することにより得られるフィルム、カーボンナノチューブを含む液で表面をメッシュ印刷することにより得られるフィルムのようなカーボンナノチューブを用いたフィルム：表面にグラフェン層を有するフィルムのようなグラフェンを用いたフィルム；表面に導電性高分子層を有するフィルム、導電性高分子を含む液でメッシュ印刷することにより得られるフィルムのような導電性高分子を用いたフィルムなどの透明導電フィルムが挙げられる。他にも、フィルムにメッシュ状の金属細線パターンを施したフィルム、金属層を有するフィルムなどの金属（特に、銅）を用いたフィルムが挙げられる。さらには、銀ナノワイヤーフィルムが挙げられる。なお、上記光学部材のうち、本発明の光学用粘着シートを貼付するものは、銀ナノワイヤー層を有している。
【０１３７】
上記表示装置としては、例えば、液晶表示装置、有機ＥＬ（エレクトロルミネッセンス）表示装置、ＰＤＰ（プラズマディスプレイパネル）、電子ペーパー等が挙げられる。また、上記入力装置としては、タッチパネル等が挙げられる。
【０１３８】
上記光学部材を構成する基板としては、特に限定されないが、例えば、ガラス、アクリル樹脂、ポリカーボネート、ポリエチレンテレフタレート、シクロオレフィンポリマー、金属薄膜等からなる基板（例えば、シート状やフィルム状、板状の基板等）等が挙げられる。なお、本発明における「光学部材」には、上記の通り、表示装置や入力装置の視認性を保ちながら加飾や保護の役割を担う部材（意匠フィルム、装飾フィルムや表面保護フィルム等）も含むものとする。
【０１３９】
上記光学部材において、銀ナノワイヤー層は、保護層により保護されていてもよい。即ち、上記光学部材において、銀ナノワイヤー層には保護層（銀ナノワイヤー層を保護する層）が設けられていてもよい。
【０１４０】
上記保護層は、樹脂を必須成分として含有することが好ましい。上記樹脂としては、公知乃至慣用の樹脂を挙げることができ、例えば、アクリル系樹脂；ポリエチレンテレフタレート等のポリエステル系樹脂；ポリスチレン、ポリビニルトルエン、ポリビニルキシレン等の芳香族系樹脂；ポリイミド；ポリアミド；ポリアミドイミド；ポリウレタン系樹脂；エポキシ系樹脂；ポリオレフィン系樹脂；アクリロニトリル−ブタジエン−スチレン共重合体（ＡＢＳ）；セルロース系樹脂；シリコーン系樹脂；ポリ塩化ビニル；ポリアセテート；ポリノルボルネン；合成ゴム；フッ素系樹脂などが挙げられる。上記樹脂は、導電性を有する樹脂（導電性樹脂）であってもよく、例えば、ポリ（３，４−エチレンジオキシチオフェン）（ＰＥＤＯＴ）、ポリアニリン、ポリチオフェン、ポリジアセチレンなどの導電性樹脂が挙げられる。中でも、アクリル系樹脂が好ましい。上記保護層中の樹脂（特に、アクリル系樹脂）の割合は、特に限定されないが、保護層の総重量（１００重量％）に対して、５０重量％以上（例えば、５０〜１００重量％）が好ましく、より好ましくは７０重量％以上、さらに好ましくは９５重量％以上である。
【０１４１】
上記アクリル系樹脂としては、例えば、上述の本発明の粘着剤層中に含まれるベースポリマーとして例示及び説明されたアクリル系ポリマーなどが挙げられる。中でも、上述の多官能性モノマーから構成される硬化型樹脂（好ましくは紫外線硬化型樹脂）が好ましく、ペンタエリスリトールトリアクリレート（ＰＥＴＡ）、ネオペンチルグリコールジアクリレート（ＮＰＧＤＡ）、ジペンタエリスリトールヘキサアクリレート（ＤＰＨＡ）、ジペンタエリスリトールペンタアクリレート（ＤＰＰＡ）、トリメチロールプロパントリアクリレート（ＴＭＰＴＡ）等の多官能アクリレートから構成される硬化型樹脂（好ましくは紫外線硬化型樹脂）がより好ましい。上記アクリル系樹脂が、樹脂を構成するモノマー成分として上記多官能性モノマーを含有する場合、上記アクリル系樹脂を構成する全モノマー成分（１００重量％）中の、上記多官能性モノマーの割合は、特に限定されないが、５０重量％以上（例えば、５０〜１００重量％）が好ましく、より好ましくは７０重量％以上、さらに好ましくは９０重量％以上、特に好ましくは９５重量％以上である。
【０１４２】
上記のモノマー成分の重合に際して、光重合開始剤（光開始剤）が用いられてもよい。上記光重合開始剤としては、例えば、上述の光重合開始剤などが挙げられる。光重合開始剤を用いる場合、上記光重合開始剤の使用量は、特に限定されないが、例えば、上記アクリル系樹脂を構成する全モノマー成分１００重量部に対して、０．０１重量部以上が好ましく、より好ましくは０．１重量部以上であり、また、１０重量部以下が好ましく、より好ましくは７重量部以下である。
【０１４３】
上記保護層の形成には、さらに、上述の架橋剤が用いられていてもよい。また、上記保護層は、必要に応じて、さらに、安定剤、腐食防止剤、老化防止剤、充填剤、着色剤（顔料や染料など）、酸化防止剤、可塑剤、軟化剤、界面活性剤、帯電防止剤などの添加剤を含有していてもよい。
【０１４４】
上記保護層は、銀ナノワイヤー層を覆うように（銀ナノワイヤー層が埋没するように）設けられていてもよいし、銀ナノワイヤー層の一部が保護層の表面からはみ出るように設けられていてもよい。
【０１４５】
より具体的に、本発明の光学用粘着シートが光学用途における銀ナノワイヤー層用に用いられている態様を説明する。図１及び図２は、本発明の光学用粘着シートが光学用途における銀ナノワイヤー層用（特に、銀ナノワイヤー層貼付用）に用いられている態様の一例である。図１及び図２は、フィルムセンサーに用いられている態様にも相当する。なお、本発明の光学用粘着シートが光学用途において銀ナノワイヤー層用に用いられている態様は、図１及び図２の態様に限定されない。また、図１及び図２は、本発明の光学用粘着シートが用いられた光学製品の一例を示す概略断面図でもある。また、図１及び図２の光学製品は、本発明の光学用粘着シートを介して光学部材が貼り合わされた構造を有する。図１及び図２において、１は光学製品であり、１１はカバーであり、１２は本発明の光学用粘着シートであり、１３は基材であり、１４は銀ナノワイヤー層であり、１５は保護層である。カバー１１は、カバーガラスもしくはカバーレンズである。基材１３は、銀ナノワイヤー層１４を担持させる基材である。
【０１４６】
図１では、光学部材として銀ナノワイヤー層を有する光学部材が用いられており、本発明の光学用粘着シート１２が銀ナノワイヤー層１４の一方の面側に、保護層１５を介して積層されている。なお、保護層１５は、銀ナノワイヤー層１４を覆うように（銀ナノワイヤー層１４が埋没するように）設けられている。従って、本発明の光学用粘着シートは、銀ナノワイヤー層用途（特に、銀ナノワイヤー層貼付用途）に用いられている。
【０１４７】
図２では、図１と同様に、光学部材として銀ナノワイヤー層を有する光学部材が用いられている。なお、図２に記載の光学製品１では、本発明の光学用粘着シート１２は、銀ナノワイヤー層１４に直接貼付するように用いられている。また、保護層１５は、銀ナノワイヤー層１４がはみ出るように設けられている。従って、本発明の光学用粘着シートは、銀ナノワイヤー層用途（特に、銀ナノワイヤー層貼付用途）に用いられている。
【０１４８】
図１及び図２の光学製品１では、本発明の光学用粘着シート１２が、銀ナノワイヤー層１４を有する光学部材に貼付されている。また、本発明の光学用粘着シート１２は、銀ナノワイヤー層に対する耐腐食性に優れる。このため、光学製品１では、アクリル酸イオンによる銀ナノワイヤー層の腐食が効果的に抑制されている。このように、光学製品１では、本発明の光学用粘着シート１２を使用しているため、銀ナノワイヤー層の腐食が抑制され、光学製品１の劣化も抑制されている。
【０１４９】
（銀ナノワイヤー層用光学用粘着シート付き光学部材）
銀ナノワイヤー層用光学用粘着シート付き光学部材は、上述の光学部材及び本発明の光学用粘着シートを少なくとも含む。
【０１５０】
上記銀ナノワイヤー層用光学用粘着シート付き光学部材としては、例えば、基材が、銀ナノワイヤー層が設けられた光学部材であり、基材付き粘着シートの形態を有する本発明の光学用粘着シートが挙げられる。より具体的には、銀ナノワイヤー層の少なくとも片面側に、保護層及び／又はシート状やフィルム状の上記光学部材を介して本発明の粘着剤層を設けた粘着シートや、銀ナノワイヤー層の少なくとも片面側に直接本発明の粘着剤層を設けた粘着シート等の光学部材付き粘着シートなどが挙げられる。
【０１５１】
上記光学部材付き粘着シートによれば、本発明の光学用粘着シートの粘着面を介して、銀ナノワイヤー層を有する光学部材を所望の位置に固定や仮固定することができる。また、本発明の光学用粘着シートは、銀ナノワイヤー層に対する腐食が効果的に抑制されている。このため、上記光学部材付き粘着シートでは、銀ナノワイヤー層の腐食による劣化が生じにくい。
【０１５２】
（光学製品）
光学製品は、銀ナノワイヤー層が設けられた光学部材及び本発明の光学用粘着シートを少なくとも含む。光学製品としては、特に限定されないが、例えば、図１又は図２で示される光学製品（光学製品１）などが挙げられる。上記光学製品では、銀ナノワイヤー層に対する耐腐食性（特に、耐ＵＶ性）に優れる本発明の光学用粘着シートを含むので、上記光学製品では、銀ナノワイヤー層の腐食（特に、紫外線の照射による銀ナノワイヤーの腐食）による劣化が生じにくい。
【実施例】
【０１５３】
以下に、実施例に基づいて本発明をより詳細に説明するが、本発明はこれらの実施例により限定されるものではない。なお、配合部数（重量部）は、全て、記載の各成分の配合部数を示す。なお、実施例１及び２は参考例として記載するものである。
【０１５４】
（アクリル系ポリマーの調製例１）
ジシクロペンタニルメタクリレート（ＤＣＰＭＡ、メタクリル酸ジシクロペンタニル）：６０重量部、メチルメタクリレート（ＭＭＡ、メタクリル酸メチル）：４０重量部、連鎖移動剤としてのα−チオグリセロール：３．５重量部、及び重合溶媒としてのトルエン：１００重量部を、４つ口フラスコに投入し、これらを窒素雰囲気下にて７０℃で１時間撹拌した。次に、重合開始剤としての２，２’−アゾビスイソブチロニトリル：０．２重量部を４つ口フラスコに投入し、７０℃で２時間反応させ、続いて、８０℃で２時間反応させた。その後、反応液を１３０℃の温度雰囲気下に投入し、トルエン、連鎖移動剤、及び未反応モノマーを乾燥除去し、固形状のアクリル系ポリマー（「アクリル系ポリマー（Ａ）と称する場合がある」）を得た。なお、アクリル系ポリマー（Ａ）の重量平均分子量は、５１００であった。
【０１５５】
（実施例１）
アクリル酸２−エチルヘキシル（２ＥＨＡ）：６７重量部、Ｎ−ビニル−２−ピロリドン（ＮＶＰ）：１５重量部、アクリル酸２−ヒドロキシエチル（ＨＥＡ）：１８重量部から構成されるモノマー混合物に、光重合開始剤（商品名「イルガキュア６５１」、ＢＡＳＦ社製）：０．０３５重量部、及び光重合開始剤（商品名「イルガキュア１８４」、ＢＡＳＦ社製）：０．０３５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、上記アクリル系ポリマー（Ａ）：５重量部、ヘキサンジオールジアクリレート（ＨＤＤＡ）：０．０７５重量部、及びシランカップリング剤（商品名「ＫＢＭ−４０３」、信越化学工業（株）製）：０．３重量部を加えて混合し、アクリル系粘着剤組成物を得た。
上記アクリル系粘着剤組成物を、ポリエチレンテレフタレート（ＰＥＴ）系剥離ライナー（日東電工（株）製、厚み：１２５μｍ）上に塗布し、粘着剤組成物層を形成した。次いで、上記粘着剤組成物層上に、ＰＥＴ系剥離ライナー（日東電工（株）製、厚み：１２５μｍ）を設け、上記粘着剤組成物層を被覆して酸素を遮断した。そして、［剥離ライナー／粘着剤組成物層／剥離ライナー］の構成を有する積層体（積層体（Ｉ））を得た。
次に、上記積層体（Ｉ）に対して、積層体（Ｉ）の上面（剥離ライナー側）から、ブラックライト（（株）東芝製）にて、照度３ｍＷ／ｃｍ2の紫外線を３００秒間照射した。さらに９０℃の乾燥機で２分間乾燥処理を行い、残存モノマーを揮発させて、［剥離ライナー／粘着剤層／剥離ライナー］の構成を有する、両側の粘着面が剥離ライナーによって保護された両面粘着シート（基材レス粘着シート）を作製した。両面粘着シートの厚み（剥離ライナーを除く厚み）は、５０μｍであった。
【０１５６】
（実施例２）
粘着剤層の厚みが１００μｍとなるようにした以外は、実施例１と同様にして両面粘着シート（基材レス粘着シート）を作製した。両面粘着シートの厚み（剥離ライナーを除く厚み）は、１００μｍであった。
【０１５７】
（実施例３）
アクリル酸２−エチルヘキシル（２ＥＨＡ）：４０．５重量部、イソステアリルアクリレート（ＩＳＴＡ）：４０．５重量部、Ｎ−ビニル−２−ピロリドン（ＮＶＰ）：１８重量部、アクリル酸４−ヒドロキシブチル（４ＨＢＡ）：１重量部から構成されるモノマー混合物に、光重合開始剤（商品名「イルガキュア６５１」、ＢＡＳＦ社製）：０．０５重量部、及び光重合開始剤（商品名「イルガキュア１８４」、ＢＡＳＦ社製）：０．５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、トリメチロールプロパントリアクリレート（ＴＭＰＴＡ）：０．０２重量部、及びシランカップリング剤（商品名「ＫＢＭ−４０３」、信越化学工業（株）製）：０．３重量部を加えて混合し、アクリル系粘着剤組成物を得た。
上記アクリル系粘着剤組成物を用いて、実施例１と同様にして、［剥離ライナー／粘着剤層／剥離ライナー］の構成を有する、両側の粘着面が剥離ライナーによって保護された両面粘着シート（基材レス粘着シート）を作製した。両面粘着シートの厚み（剥離ライナーを除く厚み）は、５０μｍであった。
【０１５８】
（実施例４）
粘着剤層の厚みが１００μｍとなるようにした以外は、実施例３と同様にして両面粘着シート（基材レス粘着シート）を作製した。両面粘着シートの厚み（剥離ライナーを除く厚み）は、１００μｍであった。
【０１５９】
（実施例５）
アクリル酸２−エチルヘキシル（２ＥＨＡ）：４０．５重量部、イソステアリルアクリレート（ＩＳＴＡ）：４０．５重量部、Ｎ−ビニル−２−ピロリドン（ＮＶＰ）：１８重量部、アクリル酸４−ヒドロキシブチル（４ＨＢＡ）：１重量部から構成されるモノマー混合物に、光重合開始剤（商品名「イルガキュア６５１」、ＢＡＳＦ社製）：０．０５重量部、及び光重合開始剤（商品名「イルガキュア１８４」、ＢＡＳＦ社製）：０．５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、トリメチロールプロパントリアクリレート（ＴＭＰＴＡ）：０．１５重量部、シランカップリング剤（商品名「ＫＢＭ−４０３」、信越化学工業（株）製）：０．３重量部、及び連鎖移動剤としてのα−チオグリセロール：０．１５重量部を加えて混合し、アクリル系粘着剤組成物を得た。
上記アクリル系粘着剤組成物を用いて、実施例１と同様にして、［剥離ライナー／粘着剤層／剥離ライナー］の構成を有する、両側の粘着面が剥離ライナーによって保護された両面粘着シート（基材レス粘着シート）を作製した。両面粘着シートの厚み（剥離ライナーを除く厚み）は、５０μｍであった。
【０１６０】
（実施例６）
粘着剤層の厚みが１００μｍとなるようにした以外は、実施例５と同様にして両面粘着シート（基材レス粘着シート）を作製した。両面粘着シートの厚み（剥離ライナーを除く厚み）は、１００μｍであった。
【０１６１】
（実施例７）
アクリル酸２−エチルヘキシル（２ＥＨＡ）：２８．５重量部、イソステアリルアクリレート（ＩＳＴＡ）：２８．５重量部、イソボルニルアクリレート（ＩＢＸＡ）：２２重量部、アクリル酸４−ヒドロキシブチル（４ＨＢＡ）：２１重量部から構成されるモノマー混合物に、光重合開始剤（商品名「イルガキュア６５１」、ＢＡＳＦ社製）：０．０５重量部、及び光重合開始剤（商品名「イルガキュア１８４」、ＢＡＳＦ社製）：０．５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、１，６−ヘキサンジオールジアクリレート（商品名「ＮＫエステル  Ａ−ＨＤ−Ｎ」、新中村化学工業（株）製）：０．３重量部、シランカップリング剤（商品名「ＫＢＭ−４０３」、信越化学工業（株）製）：０．３重量部、光重合開始剤（商品名「イルガキュア６５１」、ＢＡＳＦ社製）：０．０５重量部、及び光重合開始剤（商品名「イルガキュア８１９」、ＢＡＳＦ社製）：０．５重量部を加えて混合し、アクリル系粘着剤組成物を得た。
上記アクリル系粘着剤組成物を用いて、実施例１と同様にして、［剥離ライナー／粘着剤層／剥離ライナー］の構成を有する、両側の粘着面が剥離ライナーによって保護された両面粘着シート（基材レス粘着シート）を作製した。両面粘着シートの厚み（剥離ライナーを除く厚み）は、５０μｍであった。
【０１６２】
（実施例８）
粘着剤層の厚みが１００μｍとなるようにした以外は、実施例７と同様にして両面粘着シート（基材レス粘着シート）を作製した。両面粘着シートの厚み（剥離ライナーを除く厚み）は、１００μｍであった。
【０１６３】
（実施例９）
モノマー成分として、アクリル酸２−エチルヘキシル（２ＥＨＡ）：６３重量部、メタクリル酸メチル（ＭＭＡ）：９重量部、Ｎ−ビニル−２−ピロリドン（ＮＶＰ）：１５重量部、アクリル酸２−ヒドロキシエチル（ＨＥＡ）：１３重量部、及び重合溶媒として酢酸エチル：１７５重量部を、セパラブルフラスコに投入し、窒素ガスを導入しながら１時間撹拌した。このようにして重合系内の酸素を除去した後、重合開始剤として２，２'−アゾビスイソブチロニトリル：０．２重量部を加え、６３℃に昇温して１０時間反応させた。その後、酢酸エチルを加え、固形分濃度３６重量％のアクリル系ポリマー溶液を得た。なお、上記アクリル系ポリマー溶液におけるアクリル系ポリマーの重量平均分子量は、８５万であった。
上記アクリル系ポリマー溶液に、イソシアネート系架橋剤（商品名「タケネートＤ−１１０Ｎ」、三井化学（株）製）：１．１重量部、シランカップリング剤（商品名「ＫＢＭ−４０３」、信越化学工業（株）製）：０．１５重量部、及び紫外線吸収剤（商品名「ＴＩＮＵＶＩＮ  ３８４−２」、ＢＡＳＦ社製）：１．５重量部を加えて混合し、アクリル系粘着剤組成物を得た。
上記アクリル系粘着剤組成物を、ポリエチレンテレフタレート（ＰＥＴ）系剥離ライナー（日東電工（株）製、厚み：１２５μｍ）上に塗布し、粘着剤組成物層を得た。次に、１３０℃で３分間の加熱乾燥を行い、粘着剤層を形成させた。そして、２３℃で１２０時間エージングを行い、［剥離ライナー／粘着剤層／剥離ライナー］の構成を有する、両側の粘着面が剥離ライナーによって保護された両面粘着シート（基材レス粘着シート）を作製した。両面粘着シートの厚み（剥離ライナーを除く厚み）は、５０μｍであった。
【０１６４】
（実施例１０）
粘着剤層の厚みが１００μｍとなるようにした以外は、実施例９と同様にして両面粘着シート（基材レス粘着シート）を作製した。両面粘着シートの厚み（剥離ライナーを除く厚み）は、１００μｍであった。
【０１６５】
（実施例１１）
モノマー成分として、アクリル酸２−エチルヘキシル（２ＥＨＡ）：６３重量部、メタクリル酸メチル（ＭＭＡ）：９重量部、Ｎ−ビニル−２−ピロリドン（ＮＶＰ）：１５重量部、アクリル酸２−ヒドロキシエチル（ＨＥＡ）：１３重量部、及び重合溶媒として酢酸エチル：１７５重量部を、セパラブルフラスコに投入し、窒素ガスを導入しながら１時間撹拌した。このようにして重合系内の酸素を除去した後、重合開始剤として２，２'−アゾビスイソブチロニトリル：０．２重量部を加え、６３℃に昇温して１０時間反応させた。その後、酢酸エチルを加え、固形分濃度３６重量％のアクリル系ポリマー溶液を得た。なお、上記アクリル系ポリマー溶液におけるアクリル系ポリマーの重量平均分子量は、８５万であった。
上記アクリル系ポリマー溶液に、イソシアネート系架橋剤（商品名「タケネートＤ−１１０Ｎ」、三井化学（株）製）：１．１重量部、シランカップリング剤（商品名「ＫＢＭ−４０３」、信越化学工業（株）製）：０．１５重量部、及び紫外線吸収剤（商品名「ＫＥＭＩＳＯＲＢ  １１１」、ケミプロ化成（株）製）：１重量部を加えて混合し、アクリル系粘着剤組成物を得た。
上記アクリル系粘着剤組成物を用いて、実施例９と同様にして、［剥離ライナー／粘着剤層／剥離ライナー］の構成を有する、両側の粘着面が剥離ライナーによって保護された両面粘着シート（基材レス粘着シート）を作製した。両面粘着シートの厚み（剥離ライナーを除く厚み）は、５０μｍであった。
【０１６６】
（比較例１）
アクリル酸ｎ−ブチル（ＢＡ）：６７重量部、シクロヘキシルアクリレート（ＣＨＡ）：１７重量部、アクリル酸２−ヒドロキシエチル（ＨＥＡ）：８重量部、アクリル酸４−ヒドロキシブチル（４ＨＢＡ）：２７重量部から構成されるモノマー混合物に、光重合開始剤（商品名「イルガキュア６５１」、ＢＡＳＦ社製）：０．０５重量部、及び光重合開始剤（商品名「イルガキュア１８４」、ＢＡＳＦ社製）：０．０５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
上記プレポリマー組成物に、ジペンタエリスリトールヘキサアクリレート（ＤＰＨＡ）：０．１重量部、及びシランカップリング剤（商品名「ＫＢＭ−４０３」、信越化学工業（株）製）：０．３重量部を加えて混合し、アクリル系粘着剤組成物を得た。
上記アクリル系粘着剤組成物を用いて、実施例１と同様にして、［剥離ライナー／粘着剤層／剥離ライナー］の構成を有する、両側の粘着面が剥離ライナーによって保護された両面粘着シート（基材レス粘着シート）を作製した。両面粘着シートの厚み（剥離ライナーを除く厚み）は、５０μｍであった。
【０１６７】
（比較例２）
粘着剤層の厚みが１００μｍとなるようにした以外は、比較例１と同様にして両面粘着シート（基材レス粘着シート）を作製した。両面粘着シートの厚み（剥離ライナーを除く厚み）は、１００μｍであった。
【０１６８】
（評価）
実施例及び比較例で得られた両面粘着シートについて、下記の評価を行った。その結果を表１に示した。
【０１６９】
（１）抽出アクリル酸イオン量
（試験片の作製）
実施例及び比較例で得られた両面粘着シートから、サイズ：幅１０ｃｍ×長さ１０ｃｍのシート片を切り出した。剥離ライナーを剥離し、一方の粘着面上にはＰＥＴフィルム（東レ（株）製「ルミラーＳ１０」、厚さ２５μｍ）を貼付して、片方の粘着面だけを露出させた試験片を作製した。なお、上記試験片における粘着剤層の質量は、粘着剤層の厚みが５０μｍである場合は０．５ｇ、１００μｍである場合は１ｇであった。なお、ＰＥＴフィルムは加温抽出（１２０℃×１時間）し、さらに純水で洗浄したものを使用した。なお、本明細書において、「加温抽出」とは、純水中に入れたものを所定の温度に加温した状態で所定時間放置して任意の成分を抽出することをいう。例えば、「加温抽出（１２０℃×１時間）」は、純水中に入れたものを１２０℃に加温した状態で１時間放置して任意の成分を抽出することを示す。
【０１７０】
（アクリル酸イオンの加温抽出）
次いで、上記試験片を、純水（５０ｍｌ）中に入れ、乾燥機にて加温抽出（１００℃×４５分）を行い、抽出液を得た。
次いで、イオンクロマトグラフ法（イオンクロマトグラフィー）により、上記で得られた抽出液中のアクリル酸イオンの量（単位：μｇ）を測定し、試験片における粘着剤層１ｇあたりのアクリル酸イオンの量（抽出アクリル酸イオン量）（単位：μｇ／ｇ）を算出し、結果を表１に示した。
［イオンクロマトグラフ法の測定条件］
分析装置      ：  Ｔｈｅｒｍｏ  Ｆｉｓｈｅｒ  Ｓｃｉｅｎｔｉｆｉｃ社製、ＩＣＳ−３０００
分離カラム    ：  Ｉｏｎ  Ｐａｃ  ＡＳ１８（４ｍｍ×２５０ｍｍ）
ガードカラム  ：  Ｉｏｎ  Ｐａｃ  ＡＧ１８（４ｍｍ×５０ｍｍ）
除去システム  ：  ＡＥＲＳ−５００（エクスターナルモード）
検出器        ：  電気伝導度検出器
溶離液        ：  ＫＯＨ水溶液
（溶離液ジェネレーターＥＧIIIを使用）
溶離液流量    ：  １．０ｍｌ／分
試料注入量    ：  ２５０μｌ
【０１７１】
（２）耐ＵＶ性
（銀ナノワイヤーの合成および銀ナノワイヤー分散液の調製）
撹拌装置を備えた反応容器に、１６０℃下で、無水エチレングリコール：５ｍｌ、ＰｔＣｌ2の無水エチレングリコール溶液（濃度：１．５×１０-4ｍｏｌ／ｌ）：０．５ｍｌを加えた。４分経過後、得られた溶液に、ＡｇＮＯ3の無水エチレングリコール溶液（濃度：０．１２ｍｏｌ／ｌ）：２．５ｍｌと、ポリビニルピロリドン（Ｍｗ：５５０００）の無水エチレングリコール溶液（濃度：０．３６ｍｏｌ／ｌ）：５ｍｌとを同時に、６分かけて滴下した。この滴下後、１６０℃に加熱して１時間以上かけてＡｇＮＯ3が完全に還元されるまで反応を行い、粗銀ナノワイヤーを生成した。次いで、上記のようにして得られた粗銀ナノワイヤーを含む反応混合物に、該反応混合物の体積が５倍になるまでアセトンを加えた後、該反応混合物を遠心分離して（２０００ｒｐｍ、２０分）、銀ナノワイヤーを得た。
得られた銀ナノワイヤーは、短径が３０ｎｍ〜４０ｎｍであり、長径が３０ｎｍ〜５０ｎｍであり、長さは３０μｍ〜５０μｍであった。
純水中に、水１００重量部に対して、該銀ナノワイヤー：０．２重量部、及びペンタエチレングリコールドデシルエーテル：０．１重量部を分散させ、銀ナノワイヤー分散液を調製した。
【０１７２】
（保護層形成用組成物の調製）
イソプロピルアルコール（和光純薬工業（株）製）、ダイアセトンアルコール（和光純薬工業（株）製）を重量比１：１で混合したものを溶媒として用いた。該溶媒に、該溶媒１００重量部に対して、ジペンタエリスリトールヘキサアクリレート（ＤＰＨＡ）（新中村化学工業（株）製、商品名「Ａ−ＤＰＨ」）：３．０重量部、及び光重合開始剤（商品名「イルガキュア９０７」、ＢＡＳＦ社製）：０．０９重量部を投入して保護層形成用組成物を調製した。
【０１７３】
（透明導電性フィルム（１）の作製）
透明基材としてノルボルネン−シクロヘキサン型環状オレフィン系フィルム（商品名「ゼオノア」、日本ゼオン（株）製、面内位相差Ｒｅ：１．７ｎｍ、厚み方向の位相差Ｒｔｈ：１．８ｎｍ）を用いた。
この透明基材上に、バーコーター（商品名「バーコーター  Ｎｏ．２０」、第一理科（株）製）を用いて上記銀ナノワイヤー分散液を全面に塗布し、１２０℃の送風乾燥機内で２分間乾燥させて銀ナノワイヤー層を形成した。その後、上記保護層形成用組成物をＷｅｔ膜厚４μｍでスロットダイにて、上記銀ナノワイヤー層の全面に塗布し、１２０℃の送風乾燥機内で２分間乾燥させた。次いで、酸素濃度１００ｐｐｍとした紫外線照射装置（Ｆｕｓｉｏｎ  ＵＶ  Ｓｙｓｔｅｍｓ社製）で積算照度４００ｍＪ／ｃｍ2の紫外光を照射して保護層形成用組成物を硬化させて保護層を形成し、透明導電性フィルム（１）［透明基材／透明導電性層（銀ナノワイヤー層および保護層を含む）］を得た。
この透明導電性フィルム（１）の表面抵抗値は５０Ω／□であり、全光線透過率は９１．４％であり、ヘイズは２．０％であった。
【０１７４】
（抵抗値の測定）
実施例及び比較例で得られた両面粘着シートから剥離ライナーを剥離し、一方の粘着面上に、透明導電性フィルム（１）の透明導電性層面（銀ナノワイヤー層形成面側）を貼り合わせ、他方の粘着面に、ガラス板（商品名「ＭＩＣＲＯ  ＳＬＩＤＥ  ＧＬＡＳＳ  Ｓ２００２００」、松浪硝子工業（株）製、サイズ：５０ｍｍ×４５ｍｍ、厚さ：１．２〜１．５ｍｍ）を貼り合わせて積層体を得た。次いで、この積層体を、ガラス板のサイズからはみ出した部分の透明導電性フィルム（１）及び両面粘着シートを切り落とし、図３及び図４に示すような試験片（サイズ：５０ｍｍ×４５ｍｍ）を得た。
上記試験片の抵抗値は５０Ω／□であり、これを「貼付直後の抵抗値」した。次に、上記試験片を、スーパーキセノンウェザーメーター ＳＸ７５（スガ試験機（株）製）を用いて、温度：４５℃、湿度：５０％ＲＨの環境下、照度６５Ｗ／ｍ2で試験片のガラス板側から紫外線を照射した状態で１００時間放置した。上記１００時間放置後の試験片の抵抗値を測定し、これを「ＵＶ照射１００時間経過後の抵抗値」とした。そして、「貼付直後の抵抗値」に対する「ＵＶ照射１００時間経過後の抵抗値」の割合［（ＵＶ照射１００時間経過後の抵抗値）／（貼付直後の抵抗値）］を測定し、これを抵抗値上昇率（倍）として表１に示した。抵抗値上昇率が低いほど耐ＵＶ性が良好であることを示す。なお、「貼付直後の抵抗値」及び「ＵＶ照射１００時間経過後の抵抗値」は、ナプソン（株）製「ＥＣ−８０」を用いて測定した。
【０１７５】
【表１】
0006635727.tif 000007
【符号の説明】
【０１７６】
１      光学製品
１１    カバー
１２    本発明の光学用粘着シート
１３    基材
１４    銀ナノワイヤー層
１５    保護層
３０    試験片
３１    透明導電性フィルム（１）
３２    透明基材
３３    銀ナノワイヤー層
３４    保護層
３５    両面粘着シート
３６    ガラス板
【図１】
0006635727.tif 000008
【図２】
0006635727.tif 000009
【図３】
0006635727.tif 000010
【図４】
0006635727.tif 000011